(57)【要約】本発明は、エンドマーカを送信するための方法、デバイス、およびシステムを開示する。本方法は、ソースＡＮによって、ソースＡＮとコアネットワークユーザプレーンデバイスとの間のソースＮＧ３経路を通じて、コアネットワークユーザプレーンデバイスによって送信された第１のエンドマーカを受信するステップと、ソースＡＮによって、第１のエンドマーカに基づいてＮ個の第２のエンドマーカを生成するステップであって、Ｎは、ソースＮＧ３経路に対応するソースＤＲＢの数である、ステップと、ソースＡＮによって、ソースＮＧ３経路に対応する転送経路を通じて、Ｎ個の第２のエンドマーカをターゲットＡＮへ送信するステップとを含む。本方法によれば、ＤＲＢがコアネットワークに知られていない場合、ターゲットＡＮは、ＤＲＢベースのエンドマーカを正確に取得することができる。これは、ハンドオーバシナリオにおいて、ターゲットＤＲＢでのＵＥのダウンリンクデータの的確なソートを確実にもたらす。
2019533392.tif 000002
【特許請求の範囲】
【請求項１】
エンドマーカエンドマーカを送信する方法であって、
ソースアクセスノードＡＮによって、前記ソースＡＮとコアネットワークユーザプレーンデバイスとの間のソース次世代ＮＧ３経路を通じて、前記コアネットワークユーザプレーンデバイスによって送信された第１のエンドマーカを受信するステップであって、前記第１のエンドマーカは、前記ソースＮＧ３経路上でのユーザ機器ＵＥのダウンリンクデータの送信が完了したことを示すために使用される、ステップと、
前記ソースＡＮによって、前記第１のエンドマーカに基づいてＮ個の第２のエンドマーカを生成するステップであって、Ｎは、前記ソースＮＧ３経路に対応するソースデータ無線ベアラＤＲＢの数である、ステップと、
前記ソースＡＮによって、前記ソースＮＧ３経路に対応する転送経路を通じて前記Ｎ個の第２のエンドマーカをターゲットＡＮへ送信するステップであって、前記転送経路は、前記ソースＮＧ３経路を通じて受信された前記ＵＥのデータを前記ターゲットＡＮへ転送するために、前記ソースＡＮによって使用される、ステップと
を備えた方法。
【請求項２】
ソースＡＮによって、前記ソースＡＮとコアネットワークユーザプレーンデバイスとの間のソースＮＧ３経路を通じて、前記コアネットワークユーザプレーンデバイスによって送信された第１のエンドマーカを受信する前記ステップの前に、前記方法は、
前記ソースＡＮによって、第１の切り替え要求メッセージを前記ターゲットＡＮへ送信するステップであって、前記第１の切り替え要求メッセージは、前記ＵＥの前記ソースＤＲＢに関する情報および前記ソースＮＧ３経路に関する情報を搬送する、ステップをさらに備え、
前記ＵＥの前記ソースＤＲＢに関する前記情報は、前記ソースＤＲＢのサービス品質ＱｏＳ情報、前記ソースＤＲＢの識別子ＩＤ、および前記ソースＤＲＢのデータカテゴリインジケータを含み、
前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１に記載の方法。
【請求項３】
前記方法は、
前記ソースＡＮによって、前記ターゲットＡＮから第１の切り替え肯定応答メッセージを受信するステップであって、前記第１の切り替え肯定応答メッセージは、前記ターゲットＡＮ上の前記転送経路のＩＰアドレスおよびトンネルＩＤを搬送する、ステップをさらに備えた請求項２に記載の方法。
【請求項４】
ソースＡＮによって、前記ソースＡＮとコアネットワークユーザプレーンデバイスとの間のソースＮＧ３経路を通じて、前記コアネットワークユーザプレーンデバイスによって送信された第１のエンドマーカを受信する前記ステップの前に、前記方法は、
前記ソースＡＮによって、第２の切り替え要求メッセージをコアネットワーク制御プレーンデバイスへ送信するステップであって、前記第２の切り替え要求メッセージは、前記転送経路の数および第１のコンテナを搬送し、前記第１のコンテナは、前記ＵＥの前記ソースＤＲＢに関する情報および前記ソースＮＧ３経路に関する情報を含む、ステップをさらに備え、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１に記載の方法。
【請求項５】
前記方法は、
前記ソースＡＮによって、前記コアネットワーク制御プレーンデバイスによって送信された切り替えコマンドを受信するステップであって、前記切り替えコマンドは、前記コアネットワークユーザプレーンデバイス上の前記転送経路のＩＰアドレスおよびトンネルＩＤを搬送する、ステップをさらに備えた請求項４に記載の方法。
【請求項６】
前記転送経路の数はＮであり、前記ソースＡＮによって、前記第１のエンドマーカに基づいてＮ個の第２のエンドマーカを生成する前記ステップは、
前記ソースＡＮによって、前記第１のエンドマーカ、および前記転送経路と前記ソースＮＧ３経路との間の対応に基づいて、前記Ｎ個の第２のエンドマーカを生成するステップ、または、
前記ソースＡＮによって、前記第１のエンドマーカ、ならびに前記転送経路、前記ＵＥのＩＤ、および前記ソースＮＧ３経路間の対応に基づいて、前記Ｎ個の第２のエンドマーカを生成するステップであって、前記第１のエンドマーカは、前記ＵＥの前記ＩＤを搬送する、ステップ
を含む請求項１乃至５のいずれか一項に記載の方法。
【請求項７】
前記転送経路の数は１であり、前記Ｎ個の第２のエンドマーカにおけるｉ番目の第２のエンドマーカは、前記ソースＮＧ３経路に対応する前記ソースＤＲＢにおけるｘ番目のソースＤＲＢのデータカテゴリインジケータを搬送し、１≦ｉ≦Ｎであり、１≦ｘ≦Ｎであり、前記Ｎ個の第２のエンドマーカにおけるｊ番目の第２のエンドマーカは、前記ソースＮＧ３経路に対応する前記ソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない請求項１乃至５のいずれか一項に記載の方法。
【請求項８】
エンドマーカエンドマーカを送信する方法であって、
ターゲットアクセスノードＡＮによって、転送経路を通じて、ソースＡＮによって送信された第２のエンドマーカを受信するステップであって、前記転送経路は、ソース次世代ＮＧ３経路を通じて受信されるユーザ機器ＵＥのデータを前記ターゲットＡＮへ転送するために、前記ソースＡＮによって使用され、前記転送経路は、前記ソースＮＧ３経路と１対１対応する、ステップと、
前記ターゲットＡＮによって、前記第２のエンドマーカに基づいてＭ個の第３のエンドマーカを生成するステップであって、Ｍは、前記転送経路に対応するターゲットデータ無線ベアラＤＲＢの数であり、前記第３のエンドマーカは、前記第３のエンドマーカに対応するターゲットＤＲＢ上の前記ＵＥのダウンリンクデータをソートするために使用される、ステップと
を備えた方法。
【請求項９】
前記ターゲットＡＮによって、第２のエンドマーカに基づいてＭ個の第３のエンドマーカを生成する前記ステップは、
前記ターゲットＡＮによって、前記第２のエンドマーカ、および前記転送経路と前記ターゲットＤＲＢとの間の対応に基づいて、前記Ｍ個の第３のエンドマーカを生成するステップ、または、
前記ターゲットＡＮによって、前記第２のエンドマーカ、ならびに前記転送経路、前記ユーザ機器ＵＥの識別子ＩＤ、および前記ターゲットＤＲＢ間の対応に基づいて、前記Ｍ個の第３のエンドマーカを生成するステップであって、前記第２のエンドマーカは、前記ＵＥの前記ＩＤを搬送する、ステップ
を含む請求項８に記載の方法。
【請求項１０】
ターゲットＡＮによって、転送経路を通じて、ソースＡＮによって送信された第２のエンドマーカを受信する前記ステップの前に、前記方法は、
前記ターゲットＡＮによって、前記ソースＡＮによって送信された第１の切り替え要求メッセージを受信するステップであって、前記第１の切り替え要求メッセージは、前記ＵＥのソースＤＲＢに関する情報および前記ソースＮＧ３経路に関する情報を搬送する、ステップと、
前記ターゲットＡＮによって、前記ソースＤＲＢに関する前記情報に基づいて前記ターゲットＤＲＢを確立するステップと、
前記ターゲットＡＮによって、前記ソースＮＧ３経路に関する前記情報に基づいてターゲットＮＧ３経路を確立するステップと、
前記ターゲットＡＮによって、リソースを前記転送経路に割り当てるステップとをさらに備え、
前記ＵＥの前記ソースＤＲＢに関する前記情報は、前記ソースＤＲＢのサービス品質ＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびにコアネットワークユーザプレーンデバイス上の前記ソースＮＧ３経路のＩＰアドレスおよびトンネルＩＤを含む請求項８または９に記載の方法。
【請求項１１】
前記方法は、
前記ターゲットＡＮによって、第１の切り替え肯定応答メッセージを前記ソースＡＮへ送信するステップであって、前記第１の切り替え肯定応答メッセージは、前記ターゲットＡＮ上の前記転送経路のＩＰアドレスおよびトンネルＩＤを搬送する、ステップをさらに備えた請求項１０に記載の方法。
【請求項１２】
前記方法は、
前記ターゲットＡＮによって、第１の経路切り替え要求メッセージをコアネットワーク制御プレーンデバイスへ送信するステップであって、前記第１の経路切り替え要求メッセージは、ＮＧ３経路を切り替えることを要求するために使用される、ステップをさらに備え、
前記第１の経路切り替え要求メッセージは、前記ソースＮＧ３経路のＩＤおよび前記ターゲットＮＧ３経路に関する情報を搬送し、前記ターゲットＮＧ３経路に関する前記情報は、前記ターゲットＡＮ上の前記ターゲットＮＧ３経路のＩＰアドレスおよびトンネルＩＤを含む請求項１０または１１に記載の方法。
【請求項１３】
前記第１の経路切り替え要求メッセージは、前記ターゲットＮＧ３経路のデータカテゴリインジケータリストをさらに搬送する請求項１２に記載の方法。
【請求項１４】
ターゲットＡＮによって、転送経路を通じて、ソースＡＮによって送信された第２のエンドマーカを受信する前記ステップの前に、前記方法は、
前記ターゲットＡＮによって、コアネットワーク制御プレーンデバイスによって送信された第３の切り替え要求メッセージを受信するステップであって、前記第３の切り替え要求メッセージは、第１のコンテナを搬送し、前記第１のコンテナは、前記ＵＥのソースＤＲＢに関する情報および前記ソースＮＧ３経路に関する情報を含む、ステップと、
前記ターゲットＡＮによって、前記ソースＤＲＢに関する前記情報に基づいて前記ターゲットＤＲＢを確立するステップと、
前記ターゲットＡＮによって、前記ソースＮＧ３経路に関する前記情報に基づいてターゲットＮＧ３経路を確立するステップと、
前記ターゲットＡＮによって、前記第３の切り替え要求メッセージに基づいてリソースを前記転送経路に割り当てるステップと、
前記ターゲットＡＮによって、第２の切り替え肯定応答メッセージを前記コアネットワーク制御プレーンデバイスへ送信するステップであって、前記第２の切り替え肯定応答メッセージは、前記ターゲットＡＮの前記転送経路に関する情報を搬送する、ステップと
をさらに備え、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびにコアネットワークユーザプレーンデバイス上の前記ソースＮＧ３経路のＩＰアドレスおよびトンネルＩＤを含む請求項８または９に記載の方法。
【請求項１５】
前記方法は、
前記ターゲットＡＮによって、第２の経路切り替え要求メッセージを前記コアネットワーク制御プレーンデバイスへ送信するステップであって、前記第２の経路切り替え要求メッセージは、ＮＧ３経路を切り替えることを要求するために使用される、ステップをさらに備え、
前記第２の経路切り替え要求メッセージは、前記ソースＮＧ３経路のＩＤ、前記ターゲットＮＧ３経路に関する情報、およびＮＧ２接続識別子を搬送し、前記ターゲットＮＧ３経路に関する前記情報は、前記ターゲットＡＮ上の前記ターゲットＮＧ３経路のＩＰアドレスおよびトンネルＩＤを含み、前記ＮＧ２接続識別子は、前記ＵＥのハンドオーバが完了したことを示すために使用される請求項１４に記載の方法。
【請求項１６】
ソースアクセスノードＡＮであって、
前記ソースＡＮとコアネットワークユーザプレーンデバイスとの間のソース次世代ＮＧ３経路を通じて、前記コアネットワークユーザプレーンデバイスによって送信された第１のエンドマーカを受信するように構成された受信ユニットであって、前記第１のエンドマーカは、前記ソースＮＧ３経路上でのユーザ機器ＵＥのダウンリンクデータの送信が完了したことを示すために使用される、受信ユニットと、
前記受信ユニットによって受信された前記第１のエンドマーカに基づいて、Ｎ個の第２のエンドマーカを生成するように構成された生成ユニットあって、Ｎは、前記ソースＮＧ３経路に対応するソースデータ無線ベアラＤＲＢの数である、生成ユニットと、
前記生成ユニットによって生成された前記Ｎ個の第２のエンドマーカを、前記ソースＮＧ３経路に対応する転送経路を通じて、ターゲットＡＮへ送信するように構成された送信ユニットであって、前記転送経路は、前記ソースＮＧ３経路を通じて受信された前記ＵＥのデータを前記ターゲットＡＮへ転送するために、前記ソースＡＮによって使用される、送信ユニットと
を備えたソースアクセスノードＡＮ。
【請求項１７】
前記送信ユニットは、
前記ソースＡＮと前記コアネットワークユーザプレーンデバイスとの間の前記ソースＮＧ３経路を通じて、前記コアネットワークユーザプレーンデバイスによって送信された前記第１のエンドマーカを受信する前に、第１の切り替え要求メッセージを前記ターゲットＡＮへ送信するようにさらに構成され、前記第１の切り替え要求メッセージは、前記ＵＥの前記ソースＤＲＢに関する情報および前記ソースＮＧ３経路に関する情報を搬送し、
前記ＵＥの前記ソースＤＲＢに関する前記情報は、前記ソースＤＲＢのサービス品質ＱｏＳ情報、前記ソースＤＲＢの識別子ＩＤ、および前記ソースＤＲＢのデータカテゴリインジケータを含み、
前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１６に記載のソースＡＮ。
【請求項１８】
前記受信ユニットは、
前記ターゲットＡＮから第１の切り替え肯定応答メッセージを受信するようにさらに構成され、前記第１の切り替え肯定応答メッセージは、前記ターゲットＡＮ上の少なくとも１つの前記転送経路のＩＰアドレスおよびトンネルＩＤを搬送する請求項１７に記載のソースＡＮ。
【請求項１９】
前記送信ユニットは、
前記ソースＡＮと前記コアネットワークユーザプレーンデバイスとの間の前記ソースＮＧ３経路を通じて、前記コアネットワークユーザプレーンデバイスによって送信された前記第１のエンドマーカを受信する前に、第２の切り替え要求メッセージをコアネットワーク制御プレーンデバイスへ送信するようにさらに構成され、前記第２の切り替え要求メッセージは、前記転送経路の数および第１のコンテナを搬送し、前記第１のコンテナは、前記ＵＥの前記ソースＤＲＢに関する情報および前記ソースＮＧ３経路に関する情報を含み、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１６に記載のソースＡＮ。
【請求項２０】
前記受信ユニットは、
前記コアネットワーク制御プレーンデバイスによって送信された切り替えコマンドを受信するようにさらに構成され、前記切り替えコマンドは、前記コアネットワークユーザプレーンデバイス上の前記転送経路のＩＰアドレスおよびトンネルＩＤを搬送する請求項１９に記載のソースＡＮ。
【請求項２１】
前記転送経路の数はＮであり、前記生成ユニットは、
前記第１のエンドマーカ、および前記転送経路と前記ソースＮＧ３経路との間の対応に基づいて、前記Ｎ個の第２のエンドマーカを生成するように、または、
前記第１のエンドマーカ、ならびに前記転送経路、前記ＵＥのＩＤ、および前記ソースＮＧ３経路間の対応に基づいて、前記Ｎ個の第２のエンドマーカを生成するように特に構成され、前記第１のエンドマーカは、前記ＵＥの前記ＩＤを搬送する請求項１６乃至２０のいずれか一項に記載のソースＡＮ。
【請求項２２】
前記転送経路の数は１であり、前記Ｎ個の第２のエンドマーカにおけるｉ番目の第２のエンドマーカは、前記ソースＮＧ３経路に対応する前記ソースＤＲＢにおけるｘ番目のソースＤＲＢのデータカテゴリインジケータを搬送し、１≦ｉ≦Ｎであり、１≦ｘ≦Ｎであり、前記Ｎ個の第２のエンドマーカにおけるｊ番目の第２のエンドマーカは、前記ソースＮＧ３経路に対応する前記ソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない請求項１６乃至２０のいずれか一項に記載のソースＡＮ。
【請求項２３】
ターゲットアクセスノードＡＮであって、
ソースＡＮによって送信された第２のエンドマーカを受信するように構成された受信ユニットであって、転送経路は、ソース次世代ＮＧ３経路を通じて受信されるユーザ機器ＵＥのデータを前記ターゲットＡＮへ転送するために、前記ソースＡＮによって使用され、前記転送経路は、前記ソースＮＧ３経路と１対１対応する、受信ユニットと、
前記受信ユニットによって受信された前記第２のエンドマーカに基づいて、Ｍ個の第３のエンドマーカを生成するように構成された生成ユニットであって、Ｍは、前記転送経路に対応するターゲットデータ無線ベアラＤＲＢの数であり、前記第３のエンドマーカは、前記第３のエンドマーカに対応するターゲットＤＲＢ上の前記ＵＥのダウンリンクデータをソートするために使用される、生成ユニットと
を備えたターゲットアクセスノードＡＮ。
【請求項２４】
前記生成ユニットは、
前記第２のエンドマーカ、および前記転送経路と前記ターゲットＤＲＢとの間の対応に基づいて、前記Ｍ個の第３のエンドマーカを生成するように、または、
前記第２のエンドマーカ、ならびに前記転送経路、前記ユーザ機器ＵＥの識別子ＩＤ、および前記ターゲットＤＲＢ間の対応に基づいて、前記Ｍ個の第３のエンドマーカを生成するように特に構成され、前記第２のエンドマーカは、前記ＵＥの前記ＩＤを搬送する請求項２３に記載のターゲットＡＮ。
【請求項２５】
第１の処理ユニットをさらに備え、
前記受信ユニットは、前記ソースＡＮによって送信された第２のエンドマーカを前記転送経路を通じて受信する前に、前記ソースＡＮによって送信された第１の切り替え要求メッセージを受信するようにさらに構成され、前記第１の切り替え要求メッセージは、前記ＵＥのソースＤＲＢに関する情報および前記ソースＮＧ３経路に関する情報を搬送し、
前記第１の処理ユニットは、前記ソースＤＲＢに関する前記情報に基づいて前記ターゲットＤＲＢを確立し、前記ソースＮＧ３経路に関する前記情報に基づいてターゲットＮＧ３経路を確立し、リソースを前記転送経路に割り当てるように構成され、
前記ＵＥの前記ソースＤＲＢに関する前記情報は、前記ソースＤＲＢのサービス品質ＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびにコアネットワークユーザプレーンデバイス上の前記ソースＮＧ３経路のＩＰアドレスおよびトンネルＩＤを含む請求項２３または２４に記載のターゲットＡＮ。
【請求項２６】
第１の切り替え肯定応答メッセージを前記ソースＡＮへ送信するように構成された第１の送信ユニットであって、前記第１の切り替え肯定応答メッセージは、前記ターゲットＡＮ上の前記転送経路のＩＰアドレスおよびトンネルＩＤを搬送する、第１の送信ユニットをさらに備えた請求項２５に記載のターゲットＡＮ。
【請求項２７】
第１の経路切り替え要求メッセージをコアネットワーク制御プレーンデバイスへ送信するように構成された第２の送信ユニットであって、前記第１の経路切り替え要求メッセージは、ＮＧ３経路を切り替えることを要求するために使用される、第２の送信ユニットをさらに備え、
前記第１の経路切り替え要求メッセージは、前記ソースＮＧ３経路のＩＤおよび前記ターゲットＮＧ３経路に関する情報を搬送し、前記ターゲットＮＧ３経路に関する前記情報は、前記ターゲットＡＮ上の前記ターゲットＮＧ３経路のＩＰアドレスおよびトンネルＩＤを含む請求項２５または２６に記載のターゲットＡＮ。
【請求項２８】
前記第１の経路切り替え要求メッセージは、前記ターゲットＮＧ３経路のデータカテゴリインジケータリストをさらに搬送する請求項２７に記載のターゲットＡＮ。
【請求項２９】
第２の処理ユニットと、第３の送信ユニットとをさらに備え、
前記受信ユニットは、前記ソースＡＮによって送信された前記第２のエンドマーカを前記転送経路を通じて受信する前に、コアネットワーク制御プレーンデバイスによって送信された第３の切り替え要求メッセージを受信するようにさらに構成され、前記第３の切り替え要求メッセージは、第１のコンテナを搬送し、前記第１のコンテナは、前記ＵＥのソースＤＲＢに関する情報および前記ソースＮＧ３経路に関する情報を含み、
前記第２の処理ユニットは、前記ソースＤＲＢに関する前記情報に基づいて前記ターゲットＤＲＢを確立し、前記ソースＮＧ３経路に関する前記情報に基づいてターゲットＮＧ３経路を確立し、前記第３の切り替え要求メッセージに基づいてリソースを前記転送経路に割り当てるように構成され、
前記第３の送信ユニットは、第２の切り替え肯定応答メッセージを前記コアネットワーク制御プレーンデバイスへ送信するように構成され、前記第２の切り替え肯定応答メッセージは、前記ターゲットＡＮの前記転送経路に関する情報を搬送し、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびにコアネットワークユーザプレーンデバイス上の前記ソースＮＧ３経路のＩＰアドレスおよびトンネルＩＤを含む請求項２３または２４に記載のターゲットＡＮ。
【請求項３０】
前記第３の送信ユニットは、
第２の経路切り替え要求メッセージを前記コアネットワーク制御プレーンデバイスへ送信するようにさらに構成され、前記第２の経路切り替え要求メッセージは、ＮＧ３経路を切り替えることを要求するために使用され、
前記第２の経路切り替え要求メッセージは、前記ソースＮＧ３経路のＩＤ、前記ターゲットＮＧ３経路に関する情報、およびＮＧ２接続識別子を搬送し、前記ターゲットＮＧ３経路に関する前記情報は、前記ターゲットＡＮ上の前記ターゲットＮＧ３経路のＩＰアドレスおよびトンネルＩＤを含み、前記ＮＧ２接続識別子は、前記ＵＥのハンドオーバが完了したことを示すために使用される請求項２９に記載のターゲットＡＮ。
【発明の詳細な説明】
【技術分野】
【０００１】
本発明は、モバイル通信システムに関し、特に、エンドマーカを送信するための方法、デバイス、およびシステムに関する。
【背景技術】
【０００２】
ＮｅｘｔＧｅｎ（ＮＧ）は、次世代モバイル通信システムアーキテクチャの略称である。図１に示されるように、ＮｅｘｔＧｅｎは、ユーザ機器（user equipment、ＵＥ）、アクセスノード（access node、ＡＮ）、コアネットワーク（Core network、ＣＮ）、およびデータネットワーク（data network）を特に含み得る。ＣＮは、２つの部分、すなわち、ユーザプレーンと制御プレーンとに論理的に分割され得る。制御プレーンは、モバイルネットワークを管理することに関与する。ユーザプレーンは、サービスデータを送信することに関与する。図１に示されるように、ＮＧ２は、ＡＮとＣＮの制御プレーンとの間の送信経路であり、ＮＧ３は、ＡＮとＣＮのユーザプレーンとの間の送信経路であり、ＮＧ６は、ＣＮのユーザプレーンとデータネットワークとの間の送信経路である。
【０００３】
ＵＥは、モバイルユーザとネットワークとの間の相互作用のための入口として、基本的な計算能力および基本的な記憶能力を提供し、サービスウィンドウをユーザに表示し、ユーザからの操作入力を受け取ることが可能である。ＮＧ  ＵＥは、次世代エアインターフェース技術を使用することによってＡＮへの信号接続およびデータ接続を確立して、制御信号およびサービスデータをモバイルネットワークへ送信する。
【０００４】
ＡＮは、従来のネットワーク（例えば、２Ｇから４Ｇ）における基地局に類似している。ＡＮは、ＵＥに近い位置に配置されて、特定の領域内の許可されたユーザにネットワークアクセス機能を提供し、ユーザレベル、サービス要件などに基づいて、異なる品質の送信トンネルを使用することによって、ユーザデータを送信することが可能である。ＡＮは、ＡＮのリソースを管理し、必要に応じてＵＥにアクセスサービスを提供し、ＵＥとコアネットワークとの間で制御信号およびユーザデータを転送することが可能である。
【０００５】
ＣＮは、モバイルネットワークの加入データを維持すること、モバイルネットワークのネットワーク要素を管理すること、ならびにセッション管理、モビリティ管理、ポリシー管理、およびセキュリティ認証などの機能をＵＥに提供することに関与する。ＣＮは、ＵＥのアタッチメントの間にＵＥにネットワークアクセス認証を提供し、ＵＥがサービス要求を有する場合、ＵＥにネットワークリソースを割り当て、ＵＥが移動している場合、ＵＥに対するネットワークリソースを更新し、ＵＥがアイドルの場合、ＵＥに対して高速回復メカニズムを提供し、ＵＥのデタッチメントの間にＵＥに対するネットワークリソースを解放し、ＵＥがサービスデータを有する場合、データルーティング機能をＵＥに提供し、例えば、データネットワークにアップリンクデータを転送し、またはデータネットワークからＵＥのダウンリンクデータを受け取り、ダウンリンクデータをＡＮへ転送して、ダウンリンクデータをＵＥへ送信する。
【０００６】
データネットワークは、ＵＥにサービスを提供し、ローカルエリアネットワークなどのプライベートネットワークであってよく、またはインターネットなどの、事業者の制御を超えた外部ネットワークであってよく、または事業者によって配置される専用ネットワークであってよい。
【０００７】
ＮＧモバイルネットワークにおいて、広く受け入れられているデータ経路実装は、以下の通りである。すなわち、データ経路は、ＮＧ３経路とエアインターフェース経路とを含む。ＮＧ３経路は、ノード（例えば、ＡＮ）、ＵＥ、セッション（session）、フロー、などに基づくことができる。例えば、各ＵＥは、１つのＮＧ３経路に対応し、または各セッションは、１つのＮＧ３経路に対応し、または各ＡＮは、１つのＮＧ３経路に対応する。エアインターフェース経路は、１つまたは複数のデータ無線ベアラ（data radio bearer、ＤＲＢ）を含み得る。ＮＧ３経路は、コアネットワークに知られており、コアネットワークの制御プレーンによって維持される。しかしながら、エアインターフェース経路上のＤＲＢは、コアネットワークに知られておらず、ＤＲＢは、ＡＮによって維持される。
【０００８】
前述のデータ経路実装においては、エアインターフェース経路上のＤＲＢがコアネットワークに知られていないので、コアネットワークは、ＤＲＢベースのエンドマーカを生成することができない。ＤＲＢベースのエンドマーカは、ターゲットＤＲＢ上のダウンリンクデータをターゲットＡＮがソートすることを支援するために使用される。したがって、ＵＥをソースＡＮからターゲットＡＮへハンドオーバする処理において、コアネットワークは、ＤＲＢベースのエンドマーカをターゲットＡＮへ送信することができず、それによって、ＵＥのハンドオーバに起因するダウンリンクデータ障害を引き起こす。
【発明の概要】
【０００９】
本発明の実施形態は、エンドマーカを送信するための方法、デバイス、およびシステムを提供し、その結果、エアインターフェース経路上のＤＲＢがコアネットワークに知られていない場合、ターゲットＡＮは、ＤＲＢベースのエンドマーカに関して正確に学習することができる。
【００１０】
第１の態様によれば、エンドマーカを送信するための方法が提供される。本方法は、ソースＡＮによって、ソースＡＮとコアネットワークユーザプレーンデバイスとの間のソースＮＧ３経路を通じて、コアネットワークユーザプレーンデバイスによって送信された第１のエンドマーカを受信するステップであって、第１のエンドマーカは、ソースＮＧ３経路上でのＵＥのダウンリンクデータの送信が完了したことを示すために使用される、ステップと、ソースＡＮによって、第１のエンドマーカに基づいてＮ個の第２のエンドマーカを生成するステップであって、Ｎは、ソースＮＧ３経路に対応するソースＤＲＢの数である、ステップと、ソースＡＮによって、転送経路を通じてＮ個の第２のエンドマーカをターゲットＡＮへ送信するステップであって、転送経路は、ソースＮＧ３経路を通じて受信されたＵＥのデータをターゲットＡＮへ転送するために、ソースＡＮによって使用される、ステップとを含む。
【００１１】
第１の態様に関して、第１の態様の第１の実装において、ソースＡＮによって、ソースＡＮとコアネットワークユーザプレーンデバイスとの間のソースＮＧ３経路を通じて、コアネットワークユーザプレーンデバイスによって送信された第１のエンドマーカを受信するステップの前に、本方法は、ソースＡＮによって、第１の切り替え要求メッセージをターゲットＡＮへ送信するステップであって、第１の切り替え要求メッセージは、ＵＥのソースデータ無線ベアラＤＲＢに関する情報およびソースＮＧ３経路に関する情報を搬送する、ステップをさらに含み、ＵＥのソースＤＲＢに関する情報は、ソースＤＲＢのサービス品質ＱｏＳ情報、ソースＤＲＢの識別子ＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。第１の態様の第１の実装に関して、第１の態様の第２の実装において、本方法は、ソースＡＮによって、ターゲットＡＮから第１の切り替え肯定応答メッセージを受信するステップであって、第１の切り替え肯定応答メッセージは、ターゲットＡＮ上の転送経路のＩＰアドレスおよびトンネルＩＤを搬送する、ステップをさらに含む。
【００１２】
第１の態様に関して、第１の態様の第３の実装において、ソースＡＮによって、ソースＡＮとコアネットワークユーザプレーンデバイスとの間のソースＮＧ３経路を通じて、コアネットワークユーザプレーンデバイスによって送信された第１のエンドマーカを受信するステップの前に、本方法は、ソースＡＮによって、第２の切り替え要求メッセージをコアネットワーク制御プレーンデバイスへ送信するステップであって、第２の切り替え要求メッセージは、転送経路の数および第１のコンテナを搬送し、第１のコンテナは、ＵＥのソースＤＲＢに関する情報およびソースＮＧ３経路に関する情報を含む、ステップをさらに含み、ＵＥのソースＤＲＢに関する情報は、ソースＤＲＢのＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００１３】
第１の態様の第３の実装に関して、第１の態様の第４の実装において、本方法は、ソースＡＮによって、コアネットワーク制御プレーンデバイスによって送信された切り替えコマンドを受信するステップであって、切り替えコマンドは、コアネットワークユーザプレーンデバイス上の転送経路のＩＰアドレスおよびトンネルＩＤを搬送する、ステップをさらに含む。
【００１４】
第１の態様または第１の態様の前述の実装のうちのいずれか１つに関して、第１の態様の第５の実装において、ソースＡＮによって、第１のエンドマーカに基づいてＮ個の第２のエンドマーカを生成するステップは、ソースＡＮによって、第１のエンドマーカ、および転送経路とソースＮＧ３経路との間の対応に基づいて、Ｎ個の第２のエンドマーカを生成するステップ、または、ソースＡＮによって、第１のエンドマーカ、ならびに転送経路、ＵＥのＩＤ、およびソースＮＧ３経路間の対応に基づいて、Ｎ個の第２のエンドマーカを生成するステップであって、第１のエンドマーカは、ＵＥのＩＤを搬送する、ステップを含む。
【００１５】
第２の態様によれば、エンドマーカを送信するための方法が提供される。本方法は、ターゲットアクセスノードＡＮによって、転送経路を通じて、ソースＡＮによって送信された第２のエンドマーカを受信するステップであって、転送経路は、ソース次世代ＮＧ３経路を通じて受信されるユーザ機器ＵＥのデータをターゲットＡＮへ転送するために、ソースＡＮによって使用され、転送経路は、ソースＮＧ３経路と１対１対応する、ステップと、ターゲットＡＮによって、第２のエンドマーカに基づいてＭ個の第３のエンドマーカを生成するステップであって、Ｍは、転送経路に対応するターゲットＤＲＢの数であり、第３のエンドマーカは、第３のエンドマーカに対応するターゲットＤＲＢ上のＵＥのダウンリンクデータをソートするために使用される、ステップとを含む。
【００１６】
第２の態様に関して、第２の態様の第１の実装において、ターゲットＡＮによって、第２のエンドマーカに基づいてＭ個の第３のエンドマーカを生成するステップは、ターゲットＡＮによって、第２のエンドマーカ、および転送経路とターゲットＤＲＢとの間の対応に基づいて、Ｍ個の第３のエンドマーカを生成するステップ、または、ターゲットＡＮによって、第２のエンドマーカ、ならびに転送経路、ユーザ機器ＵＥの識別子ＩＤ、およびターゲットＤＲＢ間の対応に基づいて、Ｍ個の第３のエンドマーカを生成するステップであって、第２のエンドマーカは、ＵＥのＩＤを搬送する、ステップを含む。
【００１７】
第２の態様または第２の態様の第１の実装に関して、第２の態様の第２の実装において、ターゲットＡＮによって、転送経路を通じて、ソースＡＮによって送信された第２のエンドマーカを受信するステップの前に、本方法は、ターゲットＡＮによって、ソースＡＮによって送信された第１の切り替え要求メッセージを受信するステップであって、第１の切り替え要求メッセージは、ＵＥのソースＤＲＢに関する情報およびソースＮＧ３経路に関する情報を搬送する、ステップと、ターゲットＡＮによって、ソースＤＲＢに関する情報に基づいてターゲットＤＲＢを確立するステップと、ターゲットＡＮによって、ソースＮＧ３経路に関する情報に基づいてターゲットＮＧ３経路を確立するステップと、ターゲットＡＮによって、リソースを転送経路に割り当てるステップとをさらに含み、ＵＥのソースＤＲＢに関する情報は、ソースＤＲＢのサービス品質ＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００１８】
第２の態様の第２の実装に関して、第２の態様の第３の実装において、本方法は、ターゲットＡＮによって、第１の経路切り替え要求メッセージをコアネットワーク制御プレーンデバイスへ送信するステップであって、第１の経路切り替え要求メッセージは、ＮＧ３経路を切り替えることを要求するために使用される、ステップをさらに含み、第１の経路切り替え要求メッセージは、ソースＮＧ３経路のＩＤおよびターゲットＮＧ３経路に関する情報を搬送し、ターゲットＮＧ３経路に関する情報は、ターゲットＡＮ上のターゲットＮＧ３経路のＩＰアドレスおよびトンネルＩＤを含む。
【００１９】
第２の態様の第３の実装に関して、第２の態様の第４の実装において、第１の経路切り替え要求メッセージは、ターゲットＮＧ３経路のデータカテゴリインジケータリストをさらに搬送する。
【００２０】
第２の態様に関して、第２の態様の第５の実装において、ターゲットＡＮによって、転送経路を通じて、ソースＡＮによって送信された第２のエンドマーカを受信するステップの前に、本方法は、ターゲットＡＮによって、コアネットワーク制御プレーンデバイスによって送信された第３の切り替え要求メッセージを受信するステップであって、第３の切り替え要求メッセージは、第１のコンテナを搬送し、第１のコンテナは、ＵＥのソースＤＲＢに関する情報およびソースＮＧ３経路に関する情報を含む、ステップと、ターゲットＡＮによって、ソースＤＲＢに関する情報に基づいてターゲットＤＲＢを確立するステップと、ターゲットＡＮによって、ソースＮＧ３経路に関する情報に基づいてターゲットＮＧ３経路を確立するステップと、ターゲットＡＮによって、第３の切り替え要求メッセージに基づいてリソースを転送経路に割り当てるステップと、ターゲットＡＮによって、第２の切り替え肯定応答メッセージをコアネットワーク制御プレーンデバイスへ送信するステップであって、第２の切り替え肯定応答メッセージは、ターゲットＡＮの転送経路に関する情報を搬送する、ステップとをさらに含み、ＵＥのソースＤＲＢに関する情報は、ソースＤＲＢのＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００２１】
第２の態様の第５の実装に関して、第２の態様の第６の実装において、本方法は、ターゲットＡＮによって、第２の経路切り替え要求メッセージをコアネットワーク制御プレーンデバイスへ送信するステップであって、第２の経路切り替え要求メッセージは、ＮＧ３経路を切り替えることを要求するために使用される、ステップをさらに含み、第２の経路切り替え要求メッセージは、ソースＮＧ３経路のＩＤ、ターゲットＮＧ３経路に関する情報、およびＮＧ２接続識別子を搬送し、ターゲットＮＧ３経路に関する情報は、ターゲットＡＮ上のターゲットＮＧ３経路のＩＰアドレスおよびトンネルＩＤを含み、ＮＧ２接続識別子は、ＵＥのハンドオーバが完了したことを示すために使用される。
【００２２】
第３の態様によれば、ソースＡＮとコアネットワークユーザプレーンデバイスとの間のソースＮＧ３経路を通じて、コアネットワークユーザプレーンデバイスによって送信された第１のエンドマーカを受信するように構成された受信ユニットであって、第１のエンドマーカは、ソースＮＧ３経路上でのＵＥのダウンリンクデータの送信が完了したことを示すために使用される、受信ユニットと、受信ユニットによって受信された第１のエンドマーカに基づいて、Ｎ個の第２のエンドマーカを生成するように構成された生成ユニットあって、Ｎは、ソースＮＧ３経路に対応するソースＤＲＢの数である、生成ユニットと、生成ユニットによって生成された第２のエンドマーカを、転送経路を通じて、ターゲットＡＮへ送信するように構成された送信ユニットであって、転送経路は、ソースＮＧ３経路を通じて受信されたＵＥのデータをターゲットＡＮへ転送するために、ソースＡＮによって使用される、送信ユニットとを含むソースＡＮが提供される。
【００２３】
第３の態様に関して、第３の態様の第１の実装において、送信ユニットは、ソースＡＮとコアネットワークユーザプレーンデバイスとの間のソースＮＧ３経路を通じて、コアネットワークユーザプレーンデバイスによって送信された第１のエンドマーカを受信する前に、第１の切り替え要求メッセージをターゲットＡＮへ送信するようにさらに構成され、第１の切り替え要求メッセージは、ＵＥのソースＤＲＢに関する情報およびソースＮＧ３経路に関する情報を搬送し、ＵＥのソースＤＲＢに関する情報は、ソースＤＲＢのＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００２４】
第３の態様に関して、第３の態様の第１の実装において、送信ユニットは、ソースＡＮとコアネットワークユーザプレーンデバイスとの間のソースＮＧ３経路を通じて、コアネットワークユーザプレーンデバイスによって送信された第１のエンドマーカを受信する前に、第２の切り替え要求メッセージをコアネットワーク制御プレーンデバイスへ送信するようにさらに構成され、第２の切り替え要求メッセージは、転送経路の数および第１のコンテナを搬送し、第１のコンテナは、ＵＥのソースＤＲＢに関する情報およびソースＮＧ３経路に関する情報を含み、ＵＥのソースＤＲＢに関する情報は、ソースＤＲＢのＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００２５】
第３の態様または第３の態様の第１の実装に関して、第３の態様の第２の実装において、転送経路の数はＮであり、生成ユニットは、第１のエンドマーカ、および転送経路とソースＮＧ３経路との間の対応に基づいて、Ｎ個の第２のエンドマーカを生成するように、または、第１のエンドマーカ、ならびに転送経路、ＵＥのＩＤ、およびソースＮＧ３経路間の対応に基づいて、Ｎ個の第２のエンドマーカを生成するように特に構成され、第１のエンドマーカは、ＵＥのＩＤを搬送する。
【００２６】
第４の態様によれば、ソースＡＮによって送信された第２のエンドマーカを受信するように構成された受信ユニットであって、転送経路は、ソースＮＧ３経路を通じて受信されるユーザ機器ＵＥのデータをターゲットＡＮへ転送するために、ソースＡＮによって使用され、転送経路は、ソースＮＧ３経路と１対１対応する、受信ユニットと、受信ユニットによって受信された第２のエンドマーカに基づいて、Ｍ個の第３のエンドマーカを生成するように構成された生成ユニットであって、Ｍは、転送経路に対応するターゲットＤＲＢの数であり、第３のエンドマーカは、第３のエンドマーカに対応するターゲットＤＲＢ上のＵＥのダウンリンクデータをソートするために使用される、生成ユニットとを含むターゲットＡＮが提供される。
【００２７】
第４の態様に関して、第４の態様の第１の実装において、生成ユニットは、第２のエンドマーカ、および転送経路とターゲットＤＲＢとの間の対応に基づいて、Ｍ個の第３のエンドマーカを生成するように、または、第２のエンドマーカ、ならびに転送経路、ユーザ機器ＵＥの識別子ＩＤ、およびターゲットＤＲＢ間の対応に基づいて、Ｍ個の第３のエンドマーカを生成するように特に構成され、第２のエンドマーカは、ＵＥのＩＤを搬送する。
【００２８】
第４の態様または第４の態様の第１の実装に関して、第４の態様の第２の実装において、ターゲットＡＮは、第１の処理ユニットをさらに備え、受信ユニットは、ソースＡＮによって送信された第２のエンドマーカを転送経路を通じて受信する前に、ソースＡＮによって送信された第１の切り替え要求メッセージを受信するようにさらに構成され、第１の切り替え要求メッセージは、ＵＥのソースＤＲＢに関する情報およびソースＮＧ３経路に関する情報を搬送し、第１の処理ユニットは、ソースＤＲＢに関する情報に基づいてターゲットＤＲＢを確立し、ソースＮＧ３経路に関する情報に基づいてターゲットＮＧ３経路を確立し、リソースを転送経路に割り当てるように構成され、ＵＥのソースＤＲＢに関する情報は、ソースＤＲＢのサービス品質ＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００２９】
第４の態様の第２の実装に関して、第４の態様の第３の実装において、送信ユニットは、第１の経路切り替え要求メッセージをコアネットワーク制御プレーンデバイスへ送信するように構成され、第１の経路切り替え要求メッセージは、ＮＧ３経路を切り替えることを要求するために使用され、第１の経路切り替え要求メッセージは、ソースＮＧ３経路のＩＤおよびターゲットＮＧ３経路に関する情報を搬送し、ターゲットＮＧ３経路に関する情報は、ターゲットＡＮ上のターゲットＮＧ３経路のＩＰアドレスおよびトンネルＩＤを含む。
【００３０】
第４の態様の第３の実装に関して、第４の態様の第４の実装において、第１の経路切り替え要求メッセージは、ターゲットＮＧ３経路のデータカテゴリインジケータリストをさらに搬送する。
【００３１】
第４の態様または第４の態様の第１の実装に関して、第４の態様の第５の実装において、ターゲットＡＮは、第２の処理ユニットをさらに備え、受信ユニットは、ソースＡＮによって送信された第２のエンドマーカを転送経路を通じて受信する前に、コアネットワーク制御プレーンデバイスによって送信された第３の切り替え要求メッセージを受信するようにさらに構成され、第３の切り替え要求メッセージは、第１のコンテナを搬送し、第１のコンテナは、ＵＥのソースＤＲＢに関する情報およびソースＮＧ３経路に関する情報を含み、第２の処理ユニットは、ソースＤＲＢに関する情報に基づいてターゲットＤＲＢを確立し、ソースＮＧ３経路に関する情報に基づいてターゲットＮＧ３経路を確立し、第３の切り替え要求メッセージに基づいてリソースを転送経路に割り当てるように構成され、送信ユニットは、第２の切り替え肯定応答メッセージをコアネットワーク制御プレーンデバイスへ送信するように構成され、第２の切り替え肯定応答メッセージは、ターゲットＡＮの転送経路に関する情報を搬送し、ＵＥのソースＤＲＢに関する情報は、ソースＤＲＢのＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【００３２】
第５の態様によれば、エンドマーカを送信するための方法が提供される。本方法は、コアネットワークユーザプレーンデバイスによって、コアネットワーク制御プレーンデバイスによって送信されたトンネル変更要求メッセージを受信するステップであって、トンネル変更要求メッセージは、ソース次世代ＮＧ３経路の識別子ＩＤおよびターゲットＮＧ３経路に関する情報を搬送し、ソースＮＧ３経路は、ソースアクセスノードＡＮとコアネットワークユーザプレーンデバイスとの間の送信経路であり、ターゲットＮＧ３経路は、ターゲットＡＮとコアネットワークユーザプレーンデバイスとの間の送信経路であり、ターゲットＮＧ３経路に関する情報は、ターゲットＡＮ上のターゲットＮＧ３経路のＩＰアドレスおよびトンネルＩＤを含む、ステップと、コアネットワークユーザプレーンデバイスによって、トンネル変更要求メッセージに基づいてＮＧ３経路を切り替えるステップと、コアネットワークユーザプレーンデバイスによって、第１のエンドマーカを生成するステップと、第１のエンドマーカをソースＮＧ３経路を通じてソースＡＮへ送信するステップであって、第１のエンドマーカは、ソースＮＧ３経路上でのユーザ機器ＵＥのダウンリンクデータの送信が完了したことを示すために使用される、ステップとを含む。
【００３３】
第５の態様に関して、第５の態様の第１の実装において、コアネットワークユーザプレーンデバイスによって、第１のエンドマーカを生成するステップは、コアネットワークユーザプレーンデバイスによって、ソースＮＧ３経路のＩＤに基づいて第１のエンドマーカを生成するステップであって、第１のエンドマーカの数は、ソースＮＧ３経路の数と等しい、ステップ、または、コアネットワークユーザプレーンデバイスによって、ターゲットＮＧ３経路のデータカテゴリインジケータリストに基づいて第１のエンドマーカを生成するステップであって、第１のエンドマーカの数は、データカテゴリインジケータリストに含まれるデータカテゴリインジケータの数と等しい、ステップ、または、コアネットワークユーザプレーンデバイスによって、ＵＥのＩＤおよびソースＮＧ３経路のＩＤに基づいて第１のエンドマーカを生成するステップであって、第１のエンドマーカは、ＵＥのＩＤを搬送し、第１のエンドマーカの数は、ソースＮＧ３経路の数と等しい、ステップを含む。
【００３４】
第５の態様の第１の実装に関して、第５の態様の第２の実装において、トンネル変更要求メッセージは、ターゲットＮＧ３経路のデータカテゴリインジケータリストまたはＵＥのＩＤをさらに搬送する。
【００３５】
第６の態様によれば、エンドマーカを送信するための方法が提供される。本方法は、コアネットワーク制御プレーンデバイスによって、ターゲットアクセスノードＡＮによって送信された経路切り替え要求メッセージを受信するステップであって、経路切り替え要求メッセージは、次世代ＮＧ３経路を切り替えることを要求するために使用され、経路切り替え要求メッセージは、ソースＮＧ３経路の識別子ＩＤおよびターゲットＮＧ３経路に関する情報を搬送し、ターゲットＮＧ３経路に関する情報は、ターゲットＡＮ上のターゲットＮＧ３経路のＩＰアドレスおよびトンネルＩＤを含む、ステップと、コアネットワーク制御プレーンデバイスによって、第１のエンドマーカを生成するステップであって、第１のエンドマーカは、ソースＮＧ３経路上でのユーザ機器ＵＥのダウンリンクデータの送信が完了したことを示すために使用される、ステップと、コアネットワーク制御プレーンデバイスによって、トンネル変更要求メッセージをコアネットワークユーザプレーンデバイスへ送信するステップであって、トンネル変更要求メッセージは、ソースＮＧ３経路のＩＤ、ターゲットＮＧ３経路に関する情報、および第１のエンドマーカを搬送する、ステップとを含む。
【００３６】
第６の態様に関して、第６の態様の第１の実装において、コアネットワーク制御プレーンデバイスによって、第１のエンドマーカを生成するステップは、コアネットワーク制御プレーンデバイスによって、ソースＮＧ３経路のＩＤに基づいて第１のエンドマーカを生成するステップであって、第１のエンドマーカの数は、ソースＮＧ３経路の数と等しい、ステップ、または、コアネットワーク制御プレーンデバイスによって、ターゲットＮＧ３経路のデータカテゴリインジケータリストに基づいて第１のエンドマーカを生成するステップであって、第１のエンドマーカの数は、データカテゴリインジケータリストに含まれるデータカテゴリインジケータの数と等しい、ステップ、または、コアネットワーク制御プレーンデバイスによって、ＵＥのＩＤおよびソースＮＧ３経路のＩＤに基づいて第１のエンドマーカを生成するステップであって、第１のエンドマーカは、ＵＥのＩＤを搬送し、第１のエンドマーカの数は、ソースＮＧ３経路の数と等しい、ステップを含む。
【００３７】
第６の態様の第１の実装に関して、第６の態様の第２の実装において、経路切り替え要求メッセージは、ＮＧ２接続識別子をさらに搬送し、ＮＧ２接続識別子は、ＵＥのハンドオーバが完了したことを示すために使用され、または、経路切り替え要求メッセージは、ターゲットＮＧ３経路のデータカテゴリインジケータリストをさらに搬送し、トンネル変更要求メッセージは、ターゲットＮＧ３経路のデータカテゴリインジケータリストをさらに搬送する。
【００３８】
第６の態様または第６の態様の前述の実装のうちのいずれか１つに関して、第６の態様の第３の実装において、コアネットワーク制御プレーンデバイスによって、ターゲットＡＮによって送信された経路切り替え要求メッセージを受信するステップの前に、本方法は、コアネットワーク制御プレーンデバイスによって、ソースＡＮによって送信された第２の切り替え要求メッセージを受信するステップであって、第２の切り替え要求メッセージは、転送経路の数および第１のコンテナを搬送し、第１のコンテナは、ＵＥのソースＤＲＢに関する情報およびソースＮＧ３経路に関する情報を含む、ステップと、コアネットワーク制御プレーンデバイスによって、転送経路の数に基づいて、リソースを転送経路に割り当てるステップと、コアネットワーク制御プレーンデバイスによって、第３の切り替え要求メッセージをターゲットＡＮへ送信するステップであって、第３の切り替え要求メッセージは、第１のコンテナを搬送する、ステップと、コアネットワーク制御プレーンデバイスによって、ターゲットＡＮによって送信された第２の切り替え認識メッセージを受信するステップであって、第２の切り替え認識メッセージは、ターゲットＡＮ上の転送経路のＩＰアドレスおよびトンネルＩＤを搬送する、ステップとをさらに含む。
【００３９】
第１の態様において提供される方法、または第３の態様において提供されるソースＡＮによれば、コアネットワークユーザプレーンデバイスによって送信された第１のエンドマーカは、ソースＮＧ３経路を通じて受信され、ＤＲＢベースの第２のエンドマーカは、第１のエンドマーカに基づいて生成され、転送経路を通じてターゲットＡＮへ送信されて、ターゲットＤＲＢ上のＵＥのダウンリンクデータをソートすることを支援する。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【００４０】
第２の態様において提供される方法、または第４の態様において提供されるターゲットＡＮによれば、ソースＡＮによって送信された第２のエンドマーカは、転送経路を通じて受信され、ターゲットＤＲＢベースの第３のエンドマーカは、第２のエンドマーカに基づいて生成されて、ターゲットＤＲＢ上のＵＥのダウンリンクデータをソートすることを支援する。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【図面の簡単な説明】
【００４１】
本発明の実施形態における技術的解決策をより明確に説明するために、下記は、実施形態を説明するために必要な添付の図面を簡単に説明する。明らかに、下記の説明において添付の図面は、本発明のいくつかの実施形態を示しており、当業者は、創造的な努力なしに、これらの添付の図面から他の図面を導き得る。
【図１】次世代モバイル通信システムのアーキテクチャ図である。
【図２】本発明の一実施形態に係るエンドマーカを送信するための方法のフローチャートである。
【図３】本発明の一実施形態に係るエンドマーカを送信するための別の方法のフローチャートである。
【図４】本発明の一実施形態に係るエンドマーカを送信するためのまた別の方法のフローチャートである。
【図５】本発明の一実施形態に係るエンドマーカを送信するためのさらに別の方法のフローチャートである。
【図６−１】本発明の一実施形態に係るエンドマーカを送信するための方法のシグナリング相互作用図である。
【図６−２】本発明の一実施形態に係るエンドマーカを送信するための方法のシグナリング相互作用図である。
【図６ａ−１】本発明の一実施形態に係るエンドマーカを送信するための別の方法のシグナリング相互作用図である。
【図６ａ−２】本発明の一実施形態に係るエンドマーカを送信するための別の方法のシグナリング相互作用図である。
【図７−１】本発明の一実施形態に係るエンドマーカを送信するためのまた別の方法のシグナリング相互作用図である。
【図７−２】本発明の一実施形態に係るエンドマーカを送信するためのまた別の方法のシグナリング相互作用図である。
【図７ａ−１】本発明の一実施形態に係るエンドマーカを送信するためのさらに別の方法のシグナリング相互作用図である。
【図７ａ−２】本発明の一実施形態に係るエンドマーカを送信するためのさらに別の方法のシグナリング相互作用図である。
【図８】本発明の一実施形態に係るソースＡＮの構造図である。
【図９】本発明の一実施形態に係るターゲットＡＮの構造図である。
【図１０】本発明の一実施形態に係るコアネットワーク制御プレーンデバイスの構造図である。
【図１１】本発明の一実施形態に係るコアネットワークユーザプレーンデバイスの構造図である。
【図１２】本発明の一実施形態に係るソースＡＮのハードウェア構造の図である。
【図１３】本発明の一実施形態に係るターゲットＡＮのハードウェア構造の図である。
【図１４】本発明の一実施形態に係るコアネットワーク制御プレーンデバイスのハードウェア構造の図である。
【図１５】本発明の一実施形態に係るコアネットワークユーザプレーンデバイスのハードウェア構造の図である。
【発明を実施するための形態】
【００４２】
下記は、本発明の実施形態において添付の図面を参照しながら、本発明の実施形態における技術的解決策を明確に、かつ完全に説明する。明らかに、説明される実施形態は、本発明の実施形態の全部ではなく、いくつかにすぎない。当業者によって創造的な努力なしに本発明の実施形態に基づいて取得される他のあらゆる実施形態は、本発明の保護範囲以内に収まるべきものである。
【００４３】
本発明の実施形態において言及されるコアネットワークユーザプレーンデバイスおよびコアネットワーク制御プレーンデバイスは、同じコアネットワークデバイスにおいて一体化されてもよく、または２つの独立したコアネットワークデバイスに分散されてもよく、またはデータセンタもしくはサーバにおける２つの異なるネットワーク機能エンティティであってもよいことが留意されるべきである。コアネットワークユーザプレーンデバイスは、図１に示されるＣＮのデータルーティング機能を実装するように構成される。コアネットワーク制御プレーンデバイスは、図１に示されるＣＮのモバイルネットワーク管理機能、例えば、モバイルネットワークの加入データを維持すること、およびモバイルネットワークのネットワーク要素を管理することを実装し、セッション管理、モビリティ管理、ポリシー管理、およびセキュリティ認証などの機能をＵＥに提供するように構成される。
【００４４】
また、本発明の実施形態は、ＵＥのハンドオーバシナリオに対して適用されるので、ソースＡＮは、ＵＥがハンドオーバされる前にＵＥにサービスを提供するＡＮであり、ターゲットＡＮは、ＵＥがハンドオーバされた後にＵＥにサービスを提供するＡＮである。対応して、ソースＤＲＢは、ソースＡＮとＵＥとの間のエアインターフェース送信経路であり、ターゲットＤＲＢは、ターゲットＡＮとＵＥとの間のエアインターフェース送信経路であり、ソースＮＧ３経路は、ソースＡＮとコアネットワークユーザプレーンデバイスとの間でＵＥのダウンリンクデータを送信するために使用されるＮＧ３経路であり、ターゲットＮＧ３経路は、ターゲットＡＮとコアネットワークユーザプレーンデバイスとの間でＵＥのダウンリンクデータを送信するために使用されるＮＧ３経路である。
【００４５】
本発明の実施形態において言及されるソースＮＧ３経路またはターゲットＮＧ３経路は、ＡＮ、ＵＥ、セッション（session）、フローなどに基づくことができることに留意されるべきである。例えば、ソースＮＧ３経路がＵＥに基づく場合、１つのＵＥは、１つのソースＮＧ３経路に対応し、またはソースＮＧ３経路がセッションに基づく場合、１つのセッションは、１つのソースＮＧ３経路に対応し、またはソースＮＧ３経路がＡＮに基づく場合、１つのＡＮは、１つのソースＮＧ３経路に対応する。また、本発明の実施形態はすべて、１つのソースＮＧ３経路のみが存在する例を使用することによって説明される。複数のソースＮＧ３経路が存在する場合、実装方法は、類似しており、本発明の保護範囲以内に収まる。
【００４６】
図２に示されるように、本発明の一実施形態は、エンドマーカを送信するための方法を提供する。詳細は下記に説明される。
【００４７】
２０１．ソースＡＮは、ソースＡＮとコアネットワークユーザプレーンデバイスとの間のソースＮＧ３経路を通じて、コアネットワークユーザプレーンデバイスによって送信された第１のエンドマーカを受信する。
【００４８】
第１のエンドマーカは、ソースＮＧ３経路上でのＵＥのダウンリンクデータの送信が完了したことを示すために使用される。第１のエンドマーカは、メッセージであってもよく、ソースＮＧ３経路のＩＰアドレスおよびトンネルＩＤを搬送し得る。
【００４９】
ソースＮＧ３経路のＩＰアドレスおよびトンネルＩＤは、ソースＡＮ上のソースＮＧ３経路のＩＰアドレスおよびトンネルＩＤ、および／またはコアネットワークユーザプレーンデバイス上のソースＮＧ３経路のＩＰアドレスおよびトンネルＩＤを含み得る。
【００５０】
具体的には、第１のエンドマーカは、コアネットワーク（例えば、コアネットワークユーザプレーンデバイス、またはコアネットワーク制御プレーンデバイス）によって生成され得る。例えば、コアネットワークは、ソースＮＧ３経路のＩＤに基づいて第１のエンドマーカを生成する。つまり、１つのエンドマーカは、１つのＮＧ３経路のＩＤに基づいて、対応して生成される。この場合、第１のエンドマーカは、ソースＮＧ３経路に基づいたエンドマーカである。しかしながら、ＤＲＢがコアネットワークに知られていないので、コアネットワークは、ＤＲＢに基づいたエンドマーカを生成することができない。第１のエンドマーカの生成に関する詳細については、図４または図５に示される実施形態を参照されたい。詳細は、ここでは説明されない。
【００５１】
ＵＥのＩＤは、ＵＥを識別するために使用され、特に、国際モバイル加入者識別（International Mobile Subscriber Identity、ＩＭＳＩ）、モビリティ管理エンティティ一時的モバイル加入者識別（M-temporary mobile subscriber identity、Ｍ−ＴＭＳＩ）、グローバル一意一時的識別（globally unique temporary identity、ＧＵＴＩ）、またはＳＡＥ一時的モバイル加入者識別（SAE-temporary mobile subscriber identity、Ｓ−ＴＭＳＩ）であってよい。
【００５２】
２０２．ソースＡＮは、第１のエンドマーカに基づいて、Ｎ個の第２のエンドマーカを生成する。
【００５３】
Ｎは、ソースＮＧ３経路に対応するソースＤＲＢの数である。複数のソースＤＲＢが存在する場合、Ｎは２以上の整数であってよい。
【００５４】
第２のエンドマーカは、転送経路のＩＰアドレスおよびトンネルＩＤを搬送し得る。転送経路のＩＰアドレスおよびトンネルＩＤは、ソースＡＮ上の転送経路のＩＰアドレスおよびトンネルＩＤ、および／またはターゲットＡＮ上の転送経路のＩＰアドレスおよびトンネルＩＤを含んでよい。
【００５５】
ソースＮＧ３経路とソースＤＲＢとの間に予め設定された対応が存在し得ること、および、この対応がソースＡＮに記憶され得ることが留意されるべきである。例えば、切り替えが発生しない場合、ソースＮＧ３経路上で送信され、ソースＡＮによって受信されたダウンリンクデータは、ソースＮＧ３経路に対応するソースＤＲＢを使用することによってＵＥへ送信され、ソースＤＲＢを使用することによってソースＡＮによって受信されたアップリンクデータは、ソースＤＲＢに対応するソースＮＧ３経路を通じてコアネットワークへ送信される。具体的には、ソースＮＧ３経路に対応するソースＤＲＢは、１つまたは複数のソースＤＲＢを含んでよい。
【００５６】
２０３．ソースＡＮは、ソースＮＧ３経路に対応する転送経路を通じて、Ｎ個の第２のエンドマーカをターゲットＡＮへ送信する。
【００５７】
ソースＮＧ３経路に対応する転送経路は、ソースＮＧ３経路上のＵＥのダウンリンクデータを送信するために使用される転送経路である。例えば、１つのソースＮＧ３経路は、１つまたは複数の転送経路に対応し得る。１つまたは複数の転送経路は、下記に説明されるように、ソースＮＧ３経路上で送信されるＵＥのダウンリンクデータを送信するために使用され、
ソースＮＧ３経路が、１つの転送経路に対応する場合、これは、ソースＮＧ３経路上で送信されるＵＥのダウンリンクデータが転送経路を通じてターゲットＡＮへ送信され得ることを示し、または、
ソースＮＧ３経路が、複数の転送経路に対応する場合、これは、ソースＮＧ３経路上で送信されるＵＥのダウンリンクデータが複数の転送経路を通じてターゲットＡＮへ送信され得ることを示す。
【００５８】
転送経路は、ソースＮＧ３経路を通じて受信されたＵＥのデータをターゲットＡＮへ転送するためにソースＡＮによって使用される。明らかに、転送経路は、ソースＡＮとターゲットＡＮとの間の送信チャネルであり、直接送信チャネルであってもよく、または間接送信チャネルであってもよい。具体的には、直接通信チャネルは、ソースＡＮとターゲットＡＮとが第三者デバイスによる転送の必要なしに互いに直接通信が可能であることを意味し、間接送信チャネルは、ソースＡＮとターゲットＡＮとが第三者デバイスによる転送を必要とし、互いに直接通信することができないことを意味する。第三者デバイスは、コアネットワークユーザプレーンデバイスであってよい。
【００５９】
任意選択で、転送経路の数はＮであり、つまり、転送経路の数は、ソースＤＲＢの数と等しい。言い換えれば、転送経路は、ソースＤＲＢに基づく。さらに、ステップ２０２は、下記の２つの手法において特に実装され得る。
【００６０】
手法１：ソースＡＮは、第１のエンドマーカ、および転送経路とソースＮＧ３経路との間の対応に基づいて、Ｎ個の第２のエンドマーカを生成する。
【００６１】
転送経路とソースＮＧ３経路との間の対応は、転送経路のＩＤとソースＮＧ３経路のＩＤとの間の対応であってよく、ソースＡＮ上にリストの形で特に予め設定されてよい。
【００６２】
転送経路のＩＤは、転送経路のＩＰアドレスおよびトンネルＩＤであり得る。ソースＮＧ３経路のＩＤは、ソースＮＧ３経路のＩＰアドレスおよびトンネルＩＤであり得る。
【００６３】
さらに、転送経路のＩＰアドレスおよびトンネルＩＤについては、ステップ２０２における関連する説明を参照されたく、ソースＮＧ３経路のＩＰアドレスおよびトンネルＩＤについては、ステップ２０１における関連する説明を参照されたい。詳細は再度説明されない。
【００６４】
具体的には、第１のエンドマーカを受信する場合、ソースＡＮは、第１のエンドマーカが送信されるソースＮＧ３経路のＩＤを取得してよく、ソースＮＧ３経路の取得されたＩＤを使用することによって、転送経路のＩＤとソースＮＧ３経路のＩＤとの間の対応をチェックすることによって、ソースＮＧ３経路に対応する転送経路のＩＤを取得し、転送経路の取得されたＩＤに基づいて、転送経路に対応する第２のエンドマーカを生成し、第２のエンドマーカを転送経路を通じてターゲットＡＮへ送信し得る。
【００６５】
手法１は、第１のエンドマーカがソースＮＧ３経路に基づいたエンドマーカであるシナリオに適用され得る。このシナリオにおいて、ソースＡＮは、ソースＮＧ３経路に基づいた第１のエンドマーカに基づいて、ソースＤＲＢベースの第２のエンドマーカまたはターゲットＤＲＢベースの第２のエンドマーカを生成し、第２のエンドマーカをターゲットＡＮへ送信して、ターゲットＡＮがターゲットＤＲＢ上のダウンリンクデータをソートすることを支援する。これは、ＤＲＢがコアネットワークに知られていない場合において、コアネットワークがＤＲＢベースのエンドマーカを生成し、ターゲットＡＮへ送信することができなければ引き起こされるであろう、ターゲットＤＲＢ上のダウンリンクデータ障害を回避する。
【００６６】
手法２：ソースＡＮは、第１のエンドマーカ、ならびに転送経路、ＵＥのＩＤ、およびソースＮＧ３経路間の対応に基づいて、Ｎ個の第２のエンドマーカを生成し、第１のエンドマーカは、ＵＥのＩＤを搬送する。
【００６７】
転送経路、ＵＥのＩＤ、およびソースＮＧ３経路間の対応は、転送経路のＩＤ、ソースＮＧ３経路のＩＤ、およびＵＥのＩＤの間の対応であり得る。具体的には、転送経路のＩＤおよびソースＮＧ３経路のＩＤについては、手法１における関係する説明を参照されたい。詳細は再度説明されない。
【００６８】
具体的には、第１のエンドマーカを受信する場合、ソースＡＮは、ＵＥのＩＤ、および第１のエンドマーカが送信されるソースＮＧ３経路のＩＤを取得してよく、ソースＮＧ３経路の取得されたＩＤおよびＵＥの取得されたＩＤに基づいて対応をチェックすることによって、ＵＥのソースＮＧ３経路に対応する転送経路のＩＤを取得してよく、転送経路の取得されたＩＤに基づいて、転送経路に対応する第２のエンドマーカを生成し、第２のエンドマーカを転送経路を通じてターゲットＡＮへ送信する。
【００６９】
ソースＮＧ３経路がＡＮベースの経路であるシナリオに手法２が適用され得ることが指摘されるべきである。このシナリオにおいては、複数のＵＥが、１つのソースＮＧ３経路を共有し得る。ソースＮＧ３経路上で送信されたエンドマーカが属するＵＥを識別するために、第１のエンドマーカは、ＵＥのＩＤおよびソースＮＧ３経路に関する情報に基づいて生成され得る。手法２において、ソースＡＮは、第１のエンドマーカに基づいて、ＵＥのソースＤＲＢまたはターゲットＤＲＢベースの第２のエンドマーカを生成する。これは、ＤＲＢがコアネットワークに知られていない場合において、コアネットワークがＤＲＢベースのエンドマーカを生成し、ターゲットＡＮへ送信することができなければ引き起こされるであろう、ターゲットＤＲＢ上のダウンリンクデータ障害を回避する。
【００７０】
前述の２つの実装から、第２のエンドマーカはソースＤＲＢに基づくということが習得可能である。ソースＤＲＢは、ターゲットＤＲＢと１対１対応するので、生成されるＮ個の第２のエンドマーカも、ターゲットＤＲＢに基づく。
【００７１】
任意選択で、転送経路の数は１であり、つまり、転送経路は、ソースＮＧ３経路に基づき、１つのソースＮＧ３経路は、１つの転送経路に対応する。さらに、ステップ２０２において生成されたＮ個の第２のエンドマーカにおけるｉ番目の第２のエンドマーカは、ソースＮＧ３経路に対応するソースＤＲＢにおいてｘ番目のソースＤＲＢのデータカテゴリインジケータを搬送し、ただし、１≦ｉ≦Ｎかつ１≦ｘ≦Ｎであり、Ｎ個の第２のエンドマーカにおけるｊ番目の第２のエンドマーカは、ソースＮＧ３経路に対応するソースＤＲＢにおけるｙ番目のソースＤＲＢのデータカテゴリインジケータを搬送し、ただし、１≦ｊ≦Ｎであり、１≦ｙ≦Ｎであり、ｉ、ｊ、ｘ、およびｙはすべて整数であり、ｉはｊと等しくなく、ｘはｙと等しくない。具体的には、第２のエンドマーカは、ソースＤＲＢと１対１対応し、第２のエンドマーカは、第２のエンドマーカに対応するソースＤＲＢのデータカテゴリインジケータを搬送する。
【００７２】
例えば、Ｎ＝３と仮定すると、１番目の第２のエンドマーカは、１番目の第１のソースＤＲＢのデータカテゴリインジケータを搬送してもよく、２番目の第２のエンドマーカは、２番目のソースＤＲＢのデータカテゴリインジケータを搬送してもよく、３番目の第２のエンドマーカは、３番目のソースＤＲＢのデータカテゴリインジケータを搬送してもよい。
【００７３】
この場合において、ステップ２０３は、ソースＡＮによって、生成されたＮ個の第２のエンドマーカを転送経路を通じて送信することを特に含む。
【００７４】
Ｎ個の第２のエンドマーカは、異なるソースＤＲＢのデータカテゴリインジケータを搬送する。言い換えれば、Ｎ個の第２のエンドマーカはソースＤＲＢに基づく。また、ソースＤＲＢは、ターゲットＤＲＢと１対１対応する。したがって、生成されたＮ個の第２のエンドマーカも、ターゲットＤＲＢに基づく。
【００７５】
ＵＥの複数のソースＮＧ３経路が、１つのソースＤＲＢを共有する場合、図２に示された方法が依然として適用可能であることが指摘されるべきである。
【００７６】
前述の実施形態において提供された、エンドマーカを送信するための方法によれば、ソースＡＮは、コアネットワークユーザプレーンデバイスによって送信された第１のエンドマーカを、ソースＮＧ３経路を通じて受信し、ソースＡＮは、第１のエンドマーカに基づいて、ＤＲＢベースの第２のエンドマーカを生成し、第２のエンドマーカをＤＲＢに対応する転送経路を通じてターゲットＡＮへ送信する。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【００７７】
任意選択で、前述の実施形態の第１の実装シナリオにおいて、例えば、ソースＡＮとターゲットＡＮとが互いに直接通信することができるシナリオにおいて、ステップ２０１の前に、本方法は、下記のステップをさらに含む。
【００７８】
２００ａ．ソースＡＮは、第１の切り替え要求メッセージをターゲットＡＮへ送信し、第１の切り替え要求メッセージは、ＵＥのソースＤＲＢに関する情報およびソースＮＧ３経路に関する情報を搬送する。
【００７９】
ＵＥのソースＤＲＢに関する情報は、ソースＤＲＢのサービス品質（quality of service、ＱｏＳ）情報、ソースＤＲＢのＩＤ、およびソースＤＲＢのデータカテゴリインジケータ（data category indicator）を含み得る。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含み得る。
【００８０】
データカテゴリインジケータは、ソースＤＲＢ上で送信されることを許可されたデータカテゴリ（data category）を示すために使用され、ソースＤＲＢのＱｏＳ情報を決定するために使用され得ることが、留意されるべきである。具体的には、データカテゴリは、ユーザ加入データ、事業者ポリシー、課金ポリシー、サービス属性などに基づいた分割を通じて取得されてよい。例えば、データカテゴリインジケータは、フロー識別インジケータ（flow identification indicator、ＦＩＩ）、ＱｏＳクラス識別子（QoS class identifier、ＱＣＩ）、または差異化サービスコードポイント（differentiated services code point、ＤＳＣＰ）であってよい。
【００８１】
前述の実装シナリオにおいて、ソースＡＮは、第１の切り替え要求メッセージをターゲットＡＮへ送信し、その結果、ターゲットＡＮは、第１の切り替え要求メッセージに基づいて、転送経路、ターゲットＤＲＢ、およびターゲットＮＧ３経路を確立する。
【００８２】
任意選択で、前述の実施形態の第２の実装シナリオにおいて、例えば、ソースＡＮとターゲットＡＮとが互いに直接通信することができないシナリオにおいて、ステップ２０１の前に、本方法は、下記のステップをさらに含んでもよい。
【００８３】
２００ｂ．ソースＡＮは、第２の切り替え要求メッセージをコアネットワーク制御プレーンデバイスへ送信し、第２の切り替え要求メッセージは、転送経路の数および第１のコンテナを搬送し、第１のコンテナは、ＵＥのソースＤＲＢに関する情報およびソースＮＧ３経路に関する情報を含む。
【００８４】
ソースＤＲＢに関する情報は、ソースＤＲＢのＱｏＳ情報、ソースＤＲＢの識別子（identifier、ＩＤ）、およびソースＤＲＢのデータカテゴリインジケータを含み得る。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含み得る。
【００８５】
具体的には、データカテゴリインジケータについては、ステップ２００ａにおける関係する説明を参照されたい。詳細は再度説明されない。
【００８６】
さらに、第１の実装シナリオまたは第２の実装シナリオに関して、本方法は、下記のステップをさらに含み得る。
【００８７】
２００ｃ．ソースＡＮは、コアネットワーク制御プレーンデバイスによって送信された切り替えコマンドを受信し、切り替えコマンドは、コアネットワークユーザプレーンデバイス上の転送経路のＩＰアドレスおよびトンネルＩＤを搬送する。
【００８８】
前述の実装シナリオにおいて、ソースＡＮは、第１のコンテナを搬送する第２の切り替え要求メッセージをコアネットワーク制御プレーンデバイスへ送信し、その結果、コアネットワーク制御プレーンデバイスは、第１のコンテナをターゲットＡＮへ転送し、ターゲットＡＮは、第１のコンテナに基づいて、転送経路、ターゲットＤＲＢ、およびターゲットＮＧ３経路を確立することが可能である。明らかに、コアネットワーク制御プレーンデバイスは、コアネットワークユーザプレーンデバイス上で、第２の切り替え要求メッセージに基づいて転送経路にリソースをさらに割り当て得る。
【００８９】
図３に示されているように、本発明の一実施形態は、エンドマーカを送信するための別の方法を提供する。詳細は下記に説明される。
【００９０】
３０１．ターゲットＡＮは、転送経路を通じて、ソースＡＮによって送られた第２のエンドマーカを受信する。
【００９１】
転送経路は、ソースＡＮによって、ソースＮＧ３経路を通じて受信されるＵＥのデータをターゲットＡＮへ転送するために使用される。転送経路は、ソースＮＧ３経路と１対１対応している。
【００９２】
具体的には、転送経路は、ソースＮＧ３経路と１対１対応している。言い換えれば、転送経路はソースＮＧ３経路に基づき、すなわち、１つのソースＮＧ３経路は１つの転送経路に対応する。転送経路は、転送経路に対応するソースＮＧ３経路上で受信されたＵＥのダウンリンクデータを送信するために使用される。
【００９３】
具体的には、第２のエンドマーカは、ソースＡＮによって、第１のエンドマーカにおける経路関係の情報のみを変更すること、例えば、第１のエンドマーカにあるソースＮＧ３経路のＩＰアドレスおよびトンネルＩＤを、転送経路のＩＰアドレスおよびトンネルＩＤと交換することによって生成され得る。したがって、１つの第２のエンドマーカは、対応して、１つの第１のエンドマーカに基づいて生成される。
【００９４】
第１のエンドマーカ、ソースＮＧ３経路のＩＰアドレスおよびトンネルＩＤ、ならびに転送経路のＩＰアドレスおよびトンネルＩＤについては、ステップ２０１および２０２における関連する説明を参照されたい。詳細は再度説明されない。
【００９５】
３０２．ターゲットＡＮは、第２のエンドマーカに基づいてＭ個の第３のエンドマーカを生成する。
【００９６】
Ｍは、転送経路に対応するターゲットＤＲＢの数である。第３のエンドマーカは、第３のエンドマーカに対応するターゲットＤＲＢ上のＵＥのダウンリンクデータをソートするために使用される。
【００９７】
具体的には、１つのターゲットＤＲＢは、ターゲットＤＲＢに対応する第３のエンドマーカを有する。ターゲットＡＮが第３のエンドマーカを処理するとき、第３のエンドマーカは、第３のエンドマーカに対応するターゲットＤＲＢ上のＵＥのダウンリンクデータをソートするのを助けるために使用される。第３のエンドマーカは、ターゲットＤＲＢベースのエンドマーカであることを習得可能である。
【００９８】
Ｍは１であることがあり、すなわち、転送経路に対応するターゲットＤＲＢの数は１である。この場合、１つの転送経路は１つのターゲットＤＲＢに対応する。代替として、Ｍは２以上の整数であることがあり、すなわち、転送経路に対応するターゲットＤＲＢの数は２以上である。この場合、１つの転送経路はＭ個のターゲットＤＲＢに対応する。
【００９９】
任意選択で、ステップ３０２は、下記の２つの手法において特に実装され得る。
【０１００】
手法１：ターゲットＡＮは、第２のエンドマーカ、および転送経路とターゲットＤＲＢとの間の対応に基づいて、Ｍ個の第３のエンドマーカを生成する。
【０１０１】
転送経路とターゲットＤＲＢとの間の対応は、転送経路のＩＤとターゲットＤＲＢのＩＤとの間の対応であってもよく、ターゲットＡＮ上にリストの形態で特に予め設定されてもよい。
【０１０２】
転送経路のＩＤは、転送経路のＩＰアドレスおよびトンネルＩＤであり得る。ターゲットＤＲＢのＩＤは、ターゲットＤＲＢを識別するために使用される。
【０１０３】
さらに、転送経路のＩＰアドレスおよびトンネルＩＤについては、ステップ２０２における関連する説明を参照されたい。詳細は再度説明されない。
【０１０４】
具体的には、第２のエンドマーカを受信する場合、ターゲットＡＮは、第２のエンドマーカが送信される転送経路のＩＤを取得してよく、転送経路の取得されたＩＤを使用することによって、転送経路のＩＤとターゲットＤＲＢのＩＤとの間の対応をチェックすることによって、転送経路に対応するターゲットＤＲＢのＩＤを取得し、ターゲットＤＲＢの取得されたＩＤに基づいて、ターゲットＤＲＢに対応する第３のエンドマーカを生成するか、またはターゲットＤＲＢの取得されたＩＤに対応する第３のエンドマーカを生成し得る。
【０１０５】
手法１は、第２のエンドマーカが、ソースＮＧ３経路に基づいたエンドマーカであるシナリオに適用され得る。ターゲットＡＮは、ソースＮＧ３経路ベースの第２のエンドマーカに基づいて、ターゲットＤＲＢベースの第３のエンドマーカを生成する。これは、ＤＲＢがコアネットワークに知られていない場合において、コアネットワークがＤＲＢベースのエンドマーカを生成し、ターゲットＡＮへ送信することができなければ引き起こされるであろう、ターゲットＤＲＢ上のダウンリンクデータ障害を回避する。
【０１０６】
手法２：ターゲットＡＮは、第２のエンドマーカ、ならびに転送経路、ＵＥのＩＤ、およびターゲットＤＲＢ間の対応に基づいて、Ｍ個の第３のエンドマーカを生成し、第２のエンドマーカは、ＵＥのＩＤを搬送する。
【０１０７】
転送経路、ＵＥのＩＤ、およびターゲットＤＲＢ間の対応は、転送経路のＩＤ、ターゲットＤＲＢのＩＤ、およびＵＥのＩＤ間の対応であり得る。転送経路のＩＤおよびターゲットＤＲＢのＩＤについては、手法１における関連する説明を参照されたい。詳細は再度説明されない。
【０１０８】
具体的には、第２のエンドマーカを受信する場合、ターゲットＡＮは、ＵＥのＩＤ、および第２のエンドマーカが送信される転送経路のＩＤを取得してもよく、転送経路の取得されたＩＤおよびＵＥの取得されたＩＤに基づいて対応をチェックすることによって、ＵＥの転送経路に対応するターゲットＤＲＢのＩＤを取得してもよく、ターゲットＤＲＢの取得されたＩＤに基づいて、ターゲットＤＲＢに対応する第３のエンドマーカを生成するか、またはターゲットＤＲＢの取得されたＩＤに対応する第３のエンドマーカを生成し得る。
【０１０９】
ソースＮＧ３経路がＡＮベースの経路であるシナリオに手法２が適用されることが指摘されるべきである。このシナリオにおいては、複数のＵＥが、１つのソースＮＧ３経路を共有し得る。ソースＮＧ３経路上で送信されたエンドマーカが属するＵＥを識別するために、第１のエンドマーカは、ＵＥのＩＤおよびソースＮＧ３経路に関する情報に基づいて生成され得る。手法２において、ターゲットＡＮは、第２のエンドマーカに基づいて、ターゲットＤＲＢベースの第３のエンドマーカを生成する。これは、ＤＲＢがコアネットワークに知られていない場合において、コアネットワークがＤＲＢベースのエンドマーカを生成しターゲットＡＮへ送信することができなければ引き起こされるであろう、ターゲットＤＲＢ上のダウンリンクデータ障害を回避する。
【０１１０】
上記の実施形態において提供されるエンドマーカを送信するための方法によれば、ターゲットＡＮは、転送経路を通じて、ソースＡＮによって送信された第２のエンドマーカを受信し、ターゲットＡＮは、第２のエンドマーカに基づいてターゲットＤＲＢベースの第３のエンドマーカを生成する。これは、ＤＲＢがコアネットワークに知られていない場合において、コアネットワークがＤＲＢベースのエンドマーカをターゲットＡＮへ正確に送信することができないという問題を解決し、それによって、ＵＥのハンドオーバに起因するダウンリンクデータ障害を回避する。
【０１１１】
任意選択で、上記の実施形態の第１の実装シナリオでは、例えば、ソースＡＮとターゲットＡＮが互いに直接通信することが可能なシナリオでは、ステップ３０１の前に、本方法は、以下で説明されるように、ステップ３００ａから３００ｄをさらに含む。
【０１１２】
３００ａ．ターゲットＡＮが、ソースＡＮによって送信された第１の切り替え要求メッセージを受信し、第１の切り替え要求メッセージが、ＵＥのソースＤＲＢに関する情報およびソースＮＧ３経路に関する情報を搬送する。
【０１１３】
ＵＥのソースＤＲＢに関する情報は、ソースＤＲＢのＱｏＳ情報、ソースＤＲＢのＩＤ、およびソースＤＲＢのデータカテゴリインジケータを含み得る。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含み得る。
【０１１４】
データカテゴリインジケータについては、ステップ２００ａにおける関連する説明を参照されたい。詳細は再度説明されない。
【０１１５】
３００ｂ．ターゲットＡＮが、ソースＤＲＢに関する情報に基づいてターゲットＤＲＢを確立する。
【０１１６】
具体的には、ターゲットＤＲＢは、ソースＤＲＢのＱｏＳ情報、例えば、レート、パケット損失レート、および優先度に基づいて確立される。ステップ３００ｂは従来技術に属する。詳細について説明されない。
【０１１７】
ソースＤＲＢは、ターゲットＤＲＢと１対１対応し得る。
【０１１８】
３００ｃ．ターゲットＡＮが、ソースＮＧ３経路に関する情報に基づいてターゲットＮＧ３経路を確立する。
【０１１９】
具体的には、ターゲットＡＮは、ターゲットＡＮ上で、ＩＰアドレスおよびトンネルＩＤをターゲットＮＧ３経路に割り当てる。コアネットワークユーザプレーンデバイスは、割り当てられたＩＰアドレスおよびトンネルＩＤに基づいてデータをターゲットＡＮへ送信することができ、ターゲットＡＮは、コアネットワークユーザプレーンデバイス上のソースＮＧ３経路のＩＰアドレスおよびトンネルＩＤに基づいて、データをコアネットワークユーザプレーンデバイスへ送って、ターゲットＮＧ３経路を確立し得る。明らかに、ターゲットＮＧ３経路の確立は従来技術に属する。詳細について説明されない。
【０１２０】
３００ｄ．ターゲットＡＮがリソースを転送経路に割り当てる。
【０１２１】
具体的には、割り当てられたリソースは、ターゲットＡＮ上の転送経路のトンネルＩＤおよびＩＰアドレスを含むことがあり、ソースＡＮは、割り当てられたリソースを使用することによってデータをターゲットＡＮへ送信し得る。転送経路はソースＮＧ３経路と１対１対応しているので、ターゲットＡＮは、ソースＮＧ３経路に関していて第１の切り替え要求メッセージにおいて搬送される情報に基づいて、リソースを、ソースＮＧ３経路に対応する転送経路に割り当て得る。
【０１２２】
ステップ３００ｂから３００ｄを実施するためのシーケンスは調整され得ることが指摘されるべきである。これは、本発明では限定されない。
【０１２３】
さらに、本方法は以下のステップをさらに含み得る。
【０１２４】
３００ｅ．ターゲットＡＮが、第１の切り替え肯定応答メッセージをソースＡＮへ送信し、第１の切り替え肯定応答メッセージが、ターゲットＡＮ上の転送経路のＩＰアドレスおよびトンネルＩＤを搬送する。
【０１２５】
さらに、本方法は以下のステップをさらに含み得る。
【０１２６】
３００ｆ．ターゲットＡＮが、第１の経路切り替え要求メッセージをコアネットワーク制御プレーンデバイスへ送信し、第１の経路切り替え要求メッセージが、ＮＧ３経路を切り替えることを要求するために使用され、第１の経路切り替え要求メッセージが、ソースＮＧ３経路のＩＤおよびターゲットＮＧ３経路に関する情報を搬送する。
【０１２７】
具体的には、ターゲットＮＧ３経路に関する情報は、ターゲットＡＮ上のターゲットＮＧ３経路のＩＰアドレスおよびトンネルＩＤを含むことがあり、ソースＮＧ３経路のＩＤは、特にソースＡＮ上のソースＮＧ３経路のトンネルＩＤであり得るか、またはコアネットワークユーザプレーンデバイス上のソースＮＧ３経路のトンネルＩＤであり得る。これは限定されない。
【０１２８】
第１の経路切り替え要求メッセージは、ターゲットＮＧ３経路のデータカテゴリインジケータリストをさらに搬送し得る。データカテゴリインジケータリストは、少なくとも１つのデータカテゴリインジケータを含む。少なくとも１つのデータカテゴリインジケータは、ターゲットＮＧ３経路上で送信されることを可能にされるデータカテゴリを示すために使用される。
【０１２９】
任意選択で、上記の実施形態の第２の実装シナリオでは、例えば、ソースＡＮとターゲットＡＮが互いに直接通信することができないシナリオでは、ステップ３０１の前に、本方法は、以下で説明されるように、ステップ３００’ａから３００’ｅをさらに含む。
【０１３０】
３００’ａ．ターゲットＡＮが、コアネットワーク制御プレーンデバイスによって送信された第３の切り替え要求メッセージを受信し、第３の切り替え要求メッセージが、第１のコンテナを搬送し、第１のコンテナが、ＵＥのソースＤＲＢに関する情報およびソースＮＧ３経路に関する情報を含む。
【０１３１】
ＵＥのソースＤＲＢに関する情報は、ソースＤＲＢのＱｏＳ情報、ソースＤＲＢのＩＤ、およびソースＤＲＢのデータカテゴリインジケータを含む。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。データカテゴリインジケータについては、ステップ２００ａにおける関連する説明を参照されたい。詳細は再度説明されない。
【０１３２】
３００’ｂ．ターゲットＡＮが、ソースＤＲＢに関する情報に基づいてターゲットＤＲＢを確立する。
【０１３３】
３００’ｃ．ターゲットＡＮが、ソースＮＧ３経路に関する情報に基づいてターゲットＮＧ３経路を確立する。
【０１３４】
３００’ｄ．ターゲットＡＮが、第３の切り替え要求メッセージに基づいてリソースを転送経路に割り当てる。
【０１３５】
具体的には、割り当てられたリソースは、ターゲットＡＮ上の転送経路のトンネルＩＤおよびＩＰアドレスを含むことがあり、コアネットワークユーザプレーンデバイスは、割り当てられたリソースを使用することによって、ソースＡＮによって送信されたデータをターゲットＡＮへ転送し得る。
【０１３６】
３００’ｅ．ターゲットＡＮが、第２の切り替え肯定応答メッセージをコアネットワーク制御プレーンデバイスへ送信し、第２の切り替え肯定応答メッセージが、ターゲットＡＮ上の転送経路のＩＰアドレスおよびトンネルＩＤを搬送する。
【０１３７】
さらに、本方法は以下のステップをさらに含み得る。
【０１３８】
３００’ｆ．ターゲットＡＮが、第２の経路切り替え要求メッセージをコアネットワーク制御プレーンデバイスへ送信し、第２の経路切り替え要求メッセージが、ＮＧ３経路を切り替えることを要求するために使用される。
【０１３９】
第２の経路切り替え要求メッセージは、ソースＮＧ３経路のＩＤ、ターゲットＮＧ３経路に関する情報、およびＮＧ２接続識別子を搬送し得る。具体的には、ソースＮＧ３経路のＩＤについては、ステップ３００ｅにおける関連する説明を参照されたい。ターゲットＮＧ３経路に関する情報は、ターゲットＡＮ上のターゲットＮＧ３経路のＩＰアドレスおよびトンネルＩＤを含み得る。ＮＧ２接続識別子は、ＵＥのハンドオーバが完了したことを示すために使用される。
【０１４０】
図４に示されているように、本発明の一実施形態は、エンドマーカを送信するためのさらに別の方法を提供する。詳細は下記に説明される。
【０１４１】
４０１．コアネットワークユーザプレーンデバイスが、コアネットワーク制御プレーンデバイスによって送信されたトンネル変更要求メッセージを受信する。
【０１４２】
トンネル変更要求メッセージは、ソースＮＧ３経路のＩＤおよびターゲットＮＧ３経路に関する情報を搬送する。ソースＮＧ３経路は、ソースＡＮとコアネットワークユーザプレーンデバイスとの間の伝送経路である。ターゲットＮＧ３経路は、ターゲットＡＮとコアネットワークユーザプレーンデバイスとの間の伝送経路である。ターゲットＮＧ３経路に関する情報は、ターゲットＡＮ上のターゲットＮＧ３経路のＩＰアドレスおよびトンネルＩＤを含む。
【０１４３】
具体的には、ソースＮＧ３経路のＩＤについては、ステップ３００ｅにおける関連する説明を参照されたい。詳細は再度説明されない。
【０１４４】
４０２．コアネットワークユーザプレーンデバイスが、トンネル変更要求メッセージに基づいてＮＧ３経路を切り替える。
【０１４５】
具体的には、コアネットワークユーザプレーンデバイスは、ソースＮＧ３経路のソースＡＮの記憶されたＩＰアドレスおよびトンネルＩＤを、ターゲットＡＮのＩＰアドレスおよびトンネルＩＤに変更する。
【０１４６】
４０３．コアネットワークユーザプレーンデバイスが、第１のエンドマーカを生成し、ソースＮＧ３経路を通じて、第１のエンドマーカをソースＡＮへ送信する。
【０１４７】
第１のエンドマーカは、ソースＮＧ３経路上でのＵＥのダウンリンクデータの送信が完了したことを示すために使用される。
【０１４８】
具体的には、ステップ４０３においてコアネットワークユーザプレーンデバイスが第１のエンドマーカを生成することは、下記の手法において実装され得る。
【０１４９】
手法１：コアネットワークユーザプレーンデバイスは、ソースＮＧ３経路のＩＤに基づいて第１のエンドマーカを生成し、第１のエンドマーカの数がソースＮＧ３経路の数と等しい。
【０１５０】
例えば、ソースＮＧ３経路の数が、経路切り替え要求メッセージにおけるソースＮＧ３経路のＩＤに基づいて判定され、次いで、第１のエンドマーカの対応する数が、ソースＮＧ３経路の判定された数に基づいて生成される。代替として、１つの対応する第１のエンドマーカが、経路切り替え要求メッセージにおける各ＮＧ３経路のＩＤに基づいて生成される。
【０１５１】
第１のエンドマーカは、ソースＮＧ３経路のＩＰアドレスおよびトンネルＩＤを搬送し得る。
【０１５２】
手法２：コアネットワークユーザプレーンデバイスは、ターゲットＮＧ３経路のデータカテゴリインジケータリストに基づいて第１のエンドマーカを生成し、第１のエンドマーカの数が、データカテゴリインジケータリスト中に含まれるデータカテゴリインジケータの数と等しい。
【０１５３】
データカテゴリインジケータについては、ステップ２００ａにおける関連する説明を参照されたい。データカテゴリインジケータリストについては、ステップ３００ｆにおける関連する説明を参照されたい。詳細は再度説明されない。
【０１５４】
第１のエンドマーカは、ソースＮＧ３経路のＩＰアドレスおよびトンネルＩＤを搬送し得る。
【０１５５】
具体的には、コアネットワークユーザプレーンデバイスは、ターゲットＮＧ３経路のデータカテゴリインジケータリストおよびソースＮＧ３経路のＩＤに基づいて、第１のエンドマーカを生成する。
【０１５６】
手法２では、エンドマーカは、データカテゴリインジケータに基づいて生成され、その結果、ソースＡＮまたはターゲットＡＮは、受信されたエンドマーカにおいて搬送されるデータカテゴリインジケータ、およびエンドマーカが送信される経路のＩＤに基づいて、ＤＲＢベースの経路、例えば、転送経路またはターゲットＤＲＢを発見して、ＤＲＢベースのエンドマーカを生成することが可能である。
【０１５７】
手法３：コアネットワークユーザプレーンデバイスは、ＵＥのＩＤおよびソースＮＧ３経路のＩＤに基づいて第１のエンドマーカを生成し、第１のエンドマーカがＵＥのＩＤを搬送し、第１のエンドマーカの数がソースＮＧ３経路の数と等しい。
【０１５８】
例えば、ソースＮＧ３経路の数が、経路切り替え要求メッセージにおけるソースＮＧ３経路のＩＤに基づいて判定され、次いで、第１のエンドマーカの対応する数が、ソースＮＧ３経路の判定された数に基づいて生成される。
【０１５９】
第１のエンドマーカは、ソースＮＧ３経路のＩＰアドレスおよびトンネルＩＤをさらに搬送し得る。
【０１６０】
ソースＮＧ３経路のＩＤおよびＵＥのＩＤについては、ステップ２０１における関係する説明への参照が行われ得ることが指摘されるべきである。ソースＮＧ３経路のＩＰアドレスおよびトンネルＩＤは、ソースＡＮ上のソースＮＧ３経路のＩＰアドレスおよびトンネルＩＤ、および／またはコアネットワークユーザプレーンデバイス上のソースＮＧ３経路のＩＰアドレスおよびトンネルＩＤを含み得る。
【０１６１】
手法３では、エンドマーカは、ＵＥのＩＤおよびソースＮＧ３経路のＩＤに基づいて生成され、その結果、ソースＡＮまたはターゲットＡＮは、受信されたエンドマーカにおいて搬送されるＵＥのＩＤ、およびエンドマーカが送信される経路のＩＤに基づいて、ＤＲＢベースの経路、例えば、転送経路またはターゲットＤＲＢを発見して、ＤＲＢベースのエンドマーカを生成することが可能である。
【０１６２】
任意選択で、ステップ４０３の３つの実装に関して、トンネル変更要求メッセージは、ターゲットＮＧ３経路のデータカテゴリインジケータリストまたはＵＥのＩＤをさらに搬送し得る。
【０１６３】
上記の実施形態において提供されるエンドマーカを送信するための方法によれば、コアネットワークユーザプレーンデバイスは、複数の手法で第１のエンドマーカを生成し、第１のエンドマーカをソースＡＮへ送信し、その結果、ソースＡＮまたはターゲットＡＮは、ＤＲＢベースのエンドマーカをよりフレキシブルに生成することができる。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０１６４】
図５に示されているように、本発明の一実施形態は、エンドマーカを送信するためのまた別の方法を提供する。詳細は下記に説明される。
【０１６５】
５０１．コアネットワーク制御プレーンデバイスが、ターゲットＡＮによって送信された経路切り替え要求メッセージを受信する。
【０１６６】
経路切り替え要求メッセージは、ＮＧ３経路を切り替えることを要求するために使用される。経路切り替え要求メッセージは、ソースＮＧ３経路のＩＤおよびターゲットＮＧ３経路に関する情報を搬送する。
【０１６７】
具体的には、ターゲットＮＧ３経路に関する情報は、ターゲットＡＮ上のターゲットＮＧ３経路のＩＰアドレスおよびトンネルＩＤを含み得る。ソースＮＧ３経路のＩＤについては、ステップ３００ｅにおける関係する関連を参照されたい。詳細は再度説明されない。
【０１６８】
任意選択で、経路切り替え要求メッセージは、ＮＧ２接続識別子をさらに搬送し、ＮＧ２接続識別子は、ＵＥのハンドオーバが完了したことを示すために使用されるか、または経路切り替え要求メッセージは、ターゲットＮＧ３経路のデータカテゴリインジケータリストをさらに搬送し、トンネル変更要求メッセージは、ターゲットＮＧ３経路のデータカテゴリインジケータリストをさらに搬送する。
【０１６９】
データカテゴリインジケータについては、ステップ２００ａにおける関連する説明を参照されたい。データカテゴリインジケータリストについては、ステップ３００ｆにおける関連する説明を参照されたい。詳細は再度説明されない。
【０１７０】
５０２．コアネットワーク制御プレーンデバイスが第１のエンドマーカを生成する。
【０１７１】
第１のエンドマーカは、ソースＮＧ３経路上でのＵＥのダウンリンクデータの送信が完了したことを示すために使用される。
【０１７２】
具体的には、ステップ５０２は以下の手法で実装され得る。
【０１７３】
手法１：コアネットワーク制御プレーンデバイスは、ソースＮＧ３経路のＩＤに基づいて第１のエンドマーカを生成し、第１のエンドマーカの数がソースＮＧ３経路の数と等しい。
【０１７４】
手法２：コアネットワーク制御プレーンデバイスは、ターゲットＮＧ３経路のデータカテゴリインジケータリストに基づいて第１のエンドマーカを生成し、第１のエンドマーカの数が、データカテゴリインジケータリスト中に含まれるデータカテゴリインジケータの数と等しい。
【０１７５】
手法３：コアネットワーク制御プレーンデバイスは、ＵＥのＩＤおよびソースＮＧ３経路のＩＤに基づいて第１のエンドマーカを生成し、第１のエンドマーカがＵＥのＩＤを搬送し、第１のエンドマーカの数がソースＮＧ３経路の数と等しい。
【０１７６】
ステップ５０２の手法１、手法２、および手法３については、それぞれ、図４に示されている実施形態における手法１、手法２、および手法３への参照が行われ得ることが指摘されるべきである。詳細は再度説明されない。
【０１７７】
５０３．コアネットワーク制御プレーンデバイスが、トンネル変更要求メッセージをコアネットワークユーザプレーンデバイスへ送信する。
【０１７８】
トンネル変更要求メッセージは、ソースＮＧ３経路のＩＤ、ターゲットＮＧ３経路に関する情報、および第１のエンドマーカを搬送する。ソースＮＧ３経路のＩＤおよびターゲットＮＧ３経路に関する情報については、図２に示されている実施形態における関連する説明を参照されたい。
【０１７９】
上記の実施形態において提供されるエンドマーカを送信するための方法によれば、コアネットワーク制御プレーンデバイスは、複数の手法で第１のエンドマーカを生成し、コアネットワークユーザプレーンデバイスを使用することによって第１のエンドマーカをソースＡＮへ送信し、その結果、ソースＡＮまたはターゲットＡＮは、ＤＲＢベースのエンドマーカをよりフレキシブルに生成することが可能である。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０１８０】
任意選択で、上記の実施形態の第１の実装シナリオでは、ステップ５０１の前に、本方法はステップ５００ａから５００ｄをさらに含む。詳細は下記に説明される。
【０１８１】
５００ａ．コアネットワーク制御プレーンデバイスが、ソースＡＮによって送信された第２の切り替え要求メッセージを受信し、第２の切り替え要求メッセージが、転送経路の数および第１のコンテナを搬送し、第１のコンテナが、ＵＥのソースＤＲＢに関する情報およびソースＮＧ３経路に関する情報を含む。
【０１８２】
ソースＤＲＢに関する情報およびソースＮＧ３経路に関する情報については、ステップ３００’ａにおける関連する説明を参照されたい。詳細は再度説明されない。
【０１８３】
５００ｂ．コアネットワーク制御プレーンデバイスが、転送経路の数に基づいてリソースを転送経路に割り当てる。
【０１８４】
具体的には、コアネットワーク制御プレーンデバイスは、リソースを転送経路に割り当てる。割り当てられたリソースは、コアネットワークユーザプレーンデバイス上の転送経路のトンネルＩＤおよびＩＰアドレスを含むことがあり、ソースＡＮは、割り当てられたリソースを使用することによってデータをコアネットワークユーザプレーンデバイスへ送信し得る。
【０１８５】
転送経路の数は１であり得るか、またはＮであり得、ＮはソースＤＲＢの数である。
【０１８６】
５００ｃ．コアネットワーク制御プレーンデバイスが、第３の切り替え要求メッセージをターゲットＡＮへ送信し、第３の切り替え要求メッセージが第１のコンテナを搬送する。
【０１８７】
５００ｄ．コアネットワーク制御プレーンデバイスが、ターゲットＡＮによって送信された第２の切り替え肯定応答メッセージを受信し、第２の切り替え肯定応答メッセージが、ターゲットＡＮ上の転送経路のトンネルＩＤおよびＩＰアドレスを搬送する。
【０１８８】
さらに、本方法は、
コアネットワーク制御プレーンデバイスによって、切り替えコマンドをソースＡＮへ送信するステップであって、切り替えコマンドが、コアネットワークユーザプレーンデバイス上の転送経路のＩＰアドレスおよびトンネルＩＤを搬送する、ステップ
をさらに含み得る。
【０１８９】
さらに、本方法は、
コアネットワーク制御プレーンデバイスによって、第１の通知メッセージをコアネットワークユーザプレーンデバイスへ送信するステップであって、第１の通知メッセージは、転送経路へのリソースの割り当てが完了したことをコアネットワークユーザプレーンデバイスに通知するために使用される、ステップ
をさらに含み得る。
【０１９０】
図６−１および図６−２に示されているように、本発明の一実施形態は、エンドマーカを送信するためのさらにまた別の方法を提供する。本方法は、ソースＡＮとターゲットＡＮが互いに直接通信することが可能なシナリオに適用される。詳細は下記に説明される。
【０１９１】
６０１．ソースＡＮが、切り替え要求メッセージをターゲットＡＮへ送信し、切り替え要求メッセージが、ソースＤＲＢに関する情報およびソースＮＧ３経路に関する情報を搬送する。
【０１９２】
ソースＤＲＢに関する情報およびソースＮＧ３経路に関する情報については、図２に示されている実施形態における関連する説明を参照されたい。詳細は再度説明されない。
【０１９３】
６０２．ターゲットＡＮが、切り替え要求メッセージを受信し、受信された切り替え要求メッセージに基づいてターゲットＤＲＢおよびターゲットＮＧ３経路を確立し、リソースを転送経路に割り当てる。
【０１９４】
ターゲットＤＲＢおよびターゲットＮＧ３経路の確立については、ステップ３００ｂおよび３００ｃにおける説明を参照されたい。詳細は再度説明されない。
【０１９５】
転送経路はソースＮＧ３経路に基づくことがあり、すなわち、１つのソースＮＧ３経路は１つの転送経路に対応するか、または転送経路はソースＤＲＢもしくはターゲットＤＲＢに基づくことがあり、例えば、１つのソースＮＧ３経路はＮ個の転送経路に対応し、１つの転送経路は１つのソースＤＲＢもしくはターゲットＤＲＢに対応することに留意されたい。具体的には、これは、コアネットワーク制御プレーンデバイスによってソースＡＮおよび／またはターゲットＡＮのために事前構成され得る。これは、ここでは限定されない。転送経路の数に基づいて以下の２つの場合がある。
【０１９６】
場合１：転送経路の数は１であり、すなわち、転送経路はソースＮＧ３経路に基づく。ステップ６０２における転送経路へのリソースの割り当てについては、ステップ３００ｄを参照されたい。詳細は再度説明されない。
【０１９７】
場合２：転送経路の数はＮであり、ＮはソースＤＲＢの数であり、すなわち、転送経路はソースＤＲＢまたはターゲットＤＲＢに基づく。ステップ６０２における転送経路へのリソースの割り当ては、
ソースＤＲＢに関する情報に基づいてリソースを転送経路に割り当てるステップ、例えば、ソースＤＲＢに関する情報が２つのソースＤＲＢのＩＤを含む場合、対応して、リソースを２つの転送経路に割り当てるステップ、または
ターゲットＤＲＢに基づいてリソースを転送経路に割り当てるステップ、例えば、ターゲットＤＲＢの数が３である場合、対応して、リソースを３つの転送経路に割り当てるステップ
を含み得る。
【０１９８】
６０３．ターゲットＡＮが、切り替え肯定応答メッセージをソースＡＮへ送信する。
【０１９９】
切り替え肯定応答メッセージは、ターゲットＡＮ上の転送経路のＩＰアドレスおよびトンネルＩＤを搬送し得る。
【０２００】
６０４．ソースＡＮがリソースを転送経路に割り当てる。
【０２０１】
具体的には、ソースＡＮは、ソースＡＮ上の転送経路のＩＰアドレスおよびトンネルＩＤを割り当てる。
【０２０２】
任意選択で、本方法は、ソースＡＮによって、以下の対応のうちの少なくとも１つを記憶するステップであって、
転送経路とソースＮＧ３経路との間の対応、および
転送経路、ＵＥのＩＤ、およびソースＮＧ３経路間の対応、
をさらに含む。
【０２０３】
これらの対応については、図２に示されている実施形態における関連する説明を参照されたい。
【０２０４】
６０５．ソースＡＮが切り替えコマンドをＵＥへ送信する。
【０２０５】
切り替えコマンドは、ハンドオーバを実施することをＵＥに命令するために使用される。
【０２０６】
６０６．ＵＥがターゲットＡＮに正常にアクセスした場合、ターゲットＡＮが、経路切り替え要求メッセージをコアネットワーク制御プレーンデバイスへ送信する。
【０２０７】
例えば、ターゲットＡＮが、ＵＥによって送信されたＲＲＣ再構成完了（ＲＲＣ  reconfiguration complete）メッセージを受信した場合、ＵＥがターゲットＡＮに正常にアクセスしたと判定される。
【０２０８】
経路切り替え要求メッセージは、ＮＧ３経路を切り替えることを要求するために使用される。経路切り替え要求メッセージは、ソースＮＧ３経路のＩＤおよびターゲットＮＧ３経路に関する情報を搬送し得る。
【０２０９】
具体的には、ターゲットＮＧ３経路に関する情報は、ターゲットＡＮ上のターゲットＮＧ３経路のＩＰアドレスおよびトンネルＩＤを含むことがあり、ソースＮＧ３経路のＩＤは、特にソースＡＮ上のソースＮＧ３経路のトンネルＩＤであり得るか、またはコアネットワークユーザプレーンデバイス上のソースＮＧ３経路のトンネルＩＤであり得る。
【０２１０】
６０７．コアネットワーク制御プレーンデバイスが、経路切り替え要求メッセージを受信し、トンネル変更要求メッセージをコアネットワークユーザプレーンデバイスへ送信する。
【０２１１】
経路切り替え要求メッセージは、ソースＮＧ３経路のＩＤおよびターゲットＮＧ３経路に関する情報を搬送する。
【０２１２】
トンネル変更要求メッセージは、ソースＮＧ３経路のＩＤおよびターゲットＮＧ３経路に関する情報を搬送する。具体的には、ソースＮＧ３経路のＩＤおよびターゲットＮＧ３経路に関する情報については、図２に示されている実施形態における関連する説明を参照されたい。
【０２１３】
６０８．コアネットワークユーザプレーンデバイスが、トンネル変更要求メッセージに基づいてＮＧ３経路を切り替える。
【０２１４】
ステップ６０８については、ステップ４０２における関連する説明を参照されたい。詳細は再度説明されない。
【０２１５】
６０９．  コアネットワークユーザプレーンデバイスが、ソースＮＧ３経路を通じて、第１のエンドマーカをソースＡＮへ送信する。
【０２１６】
第１のエンドマーカは、ソースＮＧ３経路上でのＵＥのダウンリンクデータの送信が完了したことを示すために使用され、ソースＮＧ３経路のＩＰアドレスおよびトンネルＩＤを搬送し得る。
【０２１７】
任意選択で、第１のエンドマーカは、データカテゴリインジケータまたはＵＥのＩＤをさらに搬送し得る。例えば、ソースＮＧ３経路がＡＮに基づくとき、第１のエンドマーカはＵＥのＩＤを搬送し得る。
【０２１８】
具体的には、第１のエンドマーカは、例えば、ステップ４０３における実装に基づいて、コアネットワークユーザプレーンデバイスによって生成され得るか、または第１のエンドマーカは、例えば、ステップ５０２における実装に基づいて、コアネットワーク制御プレーンデバイスによって生成され得る。詳細は再度説明されない。
【０２１９】
第１のエンドマーカがコアネットワーク制御プレーンデバイスによって生成されるとき、本方法は、コアネットワーク制御プレーンデバイスによって、生成された第１のエンドマーカをコアネットワークユーザプレーンデバイスへ送信するステップ、例えば、ステップ６０７においてトンネル変更要求メッセージを使用することによって第１のエンドマーカをコアネットワークユーザプレーンデバイスへ送信するステップをさらに含むことに留意されたい。
【０２２０】
６１０．ソースＡＮが、第１のエンドマーカを受信し、第１のエンドマーカに基づいてＮ個の第２のエンドマーカを生成する。
【０２２１】
ステップ６０２における場合１では、ステップ６１０において生成されるＮ個の第２のエンドマーカにおけるｉ番目の第２のエンドマーカは、ソースＮＧ３経路に対応するソースＤＲＢにおけるｘ番目のソースＤＲＢのデータカテゴリインジケータを搬送し、１≦ｉ≦Ｎであり、１≦ｘ≦Ｎであり、Ｎ個の第２のエンドマーカにおけるｊ番目の第２のエンドマーカは、ソースＮＧ３経路に対応するソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない。
【０２２２】
ステップ６０２における場合２では、ステップ６１０は、特に、第１のエンドマーカ、およびステップ６０４においてソースＡＮによって記憶された対応に基づいて、Ｎ個の第２のエンドマーカを生成するステップであり得る。詳細については、図２に示されている実施形態におけるステップ２０２の実装を参照されたい。詳細は再度説明されない。
【０２２３】
６１１．ソースＡＮが、転送経路を通じて、Ｎ個の第２のエンドマーカをターゲットＡＮへ送信する。
【０２２４】
ステップ６０２における場合１では、ソースＡＮは、ソースＮＧ３経路と１対１対応している転送経路を通じて、Ｎ個の第２のエンドマーカをターゲットＡＮへ送信する。ターゲットＡＮは、Ｎ個の第２のエンドマーカにおいて搬送されるデータカテゴリインジケータを、Ｎ個のターゲットＤＲＢのデータカテゴリインジケータと一致させて、ターゲットＤＲＢに対応する第２のエンドマーカを取得して、ターゲットＤＲＢ上のダウンリンクデータをソートするのを助け得る。
【０２２５】
ステップ６０２における場合２では、ソースＡＮは、Ｎ個の転送経路を通じて、Ｎ個の第２のエンドマーカをターゲットＡＮへ送信する。１つの転送経路は１つのターゲットＤＲＢに対応する。したがって、１つのターゲットＤＲＢは１つの第２のエンドマーカに対応する。例えば、第２のエンドマーカが１からＮの番号を付けられ、１の番号を付けられた転送経路が、１の番号を付けられたターゲットＤＲＢに対応すると仮定すると、１の番号を付けられた第２のエンドマーカが、１の番号を付けられた転送経路を通じてターゲットＡＮへ送信されるとき、１の番号を付けられた第２のエンドマーカは、１の番号を付けられたターゲットＤＲＢに対応し、１の番号を付けられた第２のエンドマーカは、１の番号を付けられたターゲットＤＲＢ上のＵＥのダウンリンクデータをソートするために使用される。
【０２２６】
６１２．ターゲットＡＮが、コアネットワーク制御プレーンデバイスによって送信された経路切り替え要求肯定応答メッセージを受信する。
【０２２７】
６１３．ターゲットＡＮが、ＵＥのリソースを解放することをソースＡＮに命令する。
【０２２８】
リソースはソースＤＲＢを含み得る。
【０２２９】
上記の実施形態において提供されるエンドマーカを送信するための方法は、ソースＡＮとターゲットＡＮが互いに直接通信するシナリオに適用される。ソースＡＮは、受信された第１のエンドマーカに基づいて、Ｎ個のターゲットＤＲＢベースの第２のエンドマーカを生成し、Ｎ個の第２のエンドマーカをターゲットＡＮへ送って、ターゲットＤＲＢ上のＵＥのダウンリンクデータをソートするのを助ける。これは、ＤＲＢがコアネットワークに知られていない場合、コアネットワークがターゲットＤＲＢベースのエンドマーカをターゲットＡＮへ正確に送信することができないという問題を解決し、それによって、ＵＥのハンドオーバに起因するダウンリンクデータ障害を回避する。加えて、エンドマーカは、コアネットワーク制御プレーンデバイスまたはコアネットワークユーザプレーンデバイスによって複数の手法で生成されてよく、その結果、ソースＡＮは、ＤＲＢベースのエンドマーカをよりフレキシブルに生成することができる。
【０２３０】
図６ａ−１および図６ａ−２に示されているように、本発明の一実施形態は、エンドマーカを送信するための別の方法を提供する。本方法は、ソースＡＮとターゲットＡＮが互いに直接通信することが可能なシナリオに適用される。詳細は下記に説明される。
【０２３１】
６０１ａ．ソースＡＮが、切り替え要求メッセージをターゲットＡＮへ送信し、切り替え要求メッセージが、ソースＤＲＢに関する情報およびソースＮＧ３経路に関する情報を搬送する。
【０２３２】
ソースＤＲＢに関する情報およびソースＮＧ３経路に関する情報については、図２に示されている実施形態における関連する説明を参照されたい。詳細は再度説明されない。
【０２３３】
６０２ａ．ターゲットＡＮが、切り替え要求メッセージを受信し、受信された切り替え要求メッセージに基づいてターゲットＤＲＢおよびターゲットＮＧ３経路を確立し、リソースを転送経路に割り当てる。
【０２３４】
ターゲットＤＲＢおよびターゲットＮＧ３経路の確立については、ステップ３００ｂおよび３００ｃにおける説明を参照されたい。詳細は再度説明されない。
【０２３５】
転送経路はソースＮＧ３経路に基づき、すなわち、１つのソースＮＧ３経路は１つの転送経路に対応することに留意されたい。ターゲットＡＮ側では、転送経路はＭ個のターゲットＤＲＢに対応する。
【０２３６】
ステップ６０２ａにおける転送経路へのリソースの割り当てについては、ステップ３００ｄを参照されたい。詳細は再度説明されない。
【０２３７】
任意選択で、ステップ６０２ａは、ターゲットＡＮによって、以下の対応のうちの少なくとも１つを記憶するステップであって、
転送経路とターゲットＤＲＢとの間の対応、および
転送経路、ＵＥのＩＤ、およびターゲットＤＲＢ間の対応、
をさらに含む。
【０２３８】
これらの対応およびデータカテゴリインジケータについては、図３に示されている実施形態における関連する説明を参照されたい。
【０２３９】
６０３ａ．ターゲットＡＮが、切り替え肯定応答メッセージをソースＡＮへ送信する。
【０２４０】
切り替え肯定応答メッセージは、ターゲットＡＮ上の転送経路のＩＰアドレスおよびトンネルＩＤを搬送し得る。
【０２４１】
６０４ａ．ソースＡＮがリソースを転送経路に割り当てる。
【０２４２】
具体的には、ソースＡＮは、ソースＡＮ上の転送経路のＩＰアドレスおよびトンネルＩＤを割り当てる。
【０２４３】
６０５ａ．ソースＡＮが切り替えコマンドをＵＥへ送信する。
【０２４４】
切り替えコマンドは、ハンドオーバを実施することをＵＥに命令するために使用される。
【０２４５】
６０６ａ．ＵＥがターゲットＡＮに正常にアクセスした場合、ターゲットＡＮが、経路切り替え要求メッセージをコアネットワーク制御プレーンデバイスへ送信する。
【０２４６】
例えば、ターゲットＡＮが、ＵＥによって送信されたＲＲＣ再構成完了（ＲＲＣ  reconfiguration complete）メッセージを受信した場合、ＵＥがターゲットＡＮに正常にアクセスしたと判定される。
【０２４７】
経路切り替え要求メッセージは、ＮＧ３経路を切り替えることを要求するために使用される。経路切り替え要求メッセージは、ソースＮＧ３経路のＩＤおよびターゲットＮＧ３経路に関する情報を搬送し得る。
【０２４８】
具体的には、ターゲットＮＧ３経路に関する情報は、ターゲットＡＮ上のターゲットＮＧ３経路のＩＰアドレスおよびトンネルＩＤを含むことがあり、ソースＮＧ３経路のＩＤは、特にソースＡＮ上のソースＮＧ３経路のトンネルＩＤであり得るか、またはコアネットワークユーザプレーンデバイス上のソースＮＧ３経路のトンネルＩＤであり得る。
【０２４９】
６０７ａ．コアネットワーク制御プレーンデバイスが、経路切り替え要求メッセージを受信し、トンネル変更要求メッセージをコアネットワークユーザプレーンデバイスへ送信する。
【０２５０】
経路切り替え要求メッセージは、ソースＮＧ３経路のＩＤおよびターゲットＮＧ３経路に関する情報を搬送する。
【０２５１】
トンネル変更要求メッセージは、ソースＮＧ３経路のＩＤおよびターゲットＮＧ３経路に関する情報を搬送する。具体的には、ソースＮＧ３経路のＩＤおよびターゲットＮＧ３経路に関する情報については、図２に示されている実施形態における関連する説明を参照されたい。
【０２５２】
６０８ａ．コアネットワークユーザプレーンデバイスが、トンネル変更要求メッセージに基づいてＮＧ３経路を切り替える。
【０２５３】
ステップ６０８ａについては、ステップ４０２における関連する説明を参照されたい。詳細は再度説明されない。
【０２５４】
６０９ａ．  コアネットワークユーザプレーンデバイスが、ソースＮＧ３経路を通じて、第１のエンドマーカをソースＡＮへ送信する。
【０２５５】
第１のエンドマーカは、ソースＮＧ３経路上でのＵＥのダウンリンクデータの送信が完了したことを示すために使用され、ソースＮＧ３経路のＩＰアドレスおよびトンネルＩＤを搬送し得る。
【０２５６】
任意選択で、第１のエンドマーカは、データカテゴリインジケータまたはＵＥのＩＤをさらに搬送し得る。例えば、ソースＮＧ３経路がＡＮに基づくとき、第１のエンドマーカはＵＥのＩＤを搬送し得る。
【０２５７】
具体的には、第１のエンドマーカは、例えば、ステップ４０３における実装に基づいて、コアネットワークユーザプレーンデバイスによって生成され得るか、または第１のエンドマーカは、例えば、ステップ５０２における実装に基づいて、コアネットワーク制御プレーンデバイスによって生成され得る。詳細は再度説明されない。
【０２５８】
第１のエンドマーカがコアネットワーク制御プレーンデバイスによって生成されるとき、本方法は、コアネットワーク制御プレーンデバイスによって、生成された第１のエンドマーカをコアネットワークユーザプレーンデバイスへ送信するステップ、例えば、ステップ６０７ａにおいてトンネル変更要求メッセージを使用することによって第１のエンドマーカをコアネットワークユーザプレーンデバイスへ送信するステップをさらに含むことに留意されたい。
【０２５９】
６１０ａ．ソースＡＮが、第１のエンドマーカを受信し、第１のエンドマーカに基づいて第２のエンドマーカを生成する。
【０２６０】
具体的には、第２のエンドマーカは、ソースＡＮによって、第１のエンドマーカにおける経路関係の情報のみを変更すること、例えば、第１のエンドマーカにあるソースＮＧ３経路のＩＰアドレスおよびトンネルＩＤを、転送経路のＩＰアドレスおよびトンネルＩＤと交換することによって生成され得る。したがって、１つの第２のエンドマーカは、対応して、１つの第１のエンドマーカに基づいて生成される。
【０２６１】
６１１ａ．ソースＡＮが、転送経路を通じて、第２のエンドマーカをターゲットＡＮへ送信する。
【０２６２】
６１２ａ．ターゲットＡＮが、第２のエンドマーカを受信し、第２のエンドマーカに基づいてＭ個の第３のエンドマーカを生成する。
【０２６３】
Ｍは、転送経路に対応するターゲットＤＲＢの数であることが指摘されるべきである。
【０２６４】
具体的には、Ｍ個の第３のエンドマーカは、第２のエンドマーカ、およびステップ６０２ａにおいてソースＡＮによって記憶された対応に基づいて生成され得る。ステップ３０２における関連する説明を参照されたい。
【０２６５】
６１３ａ．ターゲットＡＮが、コアネットワーク制御プレーンデバイスによって送信された経路切り替え要求肯定応答メッセージを受信する。
【０２６６】
６１４ａ．ターゲットＡＮが、ＵＥのリソースを解放することをソースＡＮに命令する。
【０２６７】
リソースはソースＤＲＢを含み得る。
【０２６８】
上記の実施形態において提供されるエンドマーカを送信するための方法は、ソースＡＮとターゲットＡＮが互いに直接通信するシナリオに適用される。ターゲットＡＮは、受信された第１のエンドマーカに基づいて、ターゲットＤＲＢベースのエンドマーカを生成して、ターゲットＤＲＢ上のダウンリンクデータをソートするのを助ける。これは、ＤＲＢがコアネットワークに知られていない場合、コアネットワークがターゲットＤＲＢベースのエンドマーカをターゲットＡＮへ正確に送信することができないという問題を解決し、それによって、ＵＥのハンドオーバに起因するダウンリンクデータ障害を回避する。加えて、エンドマーカは、コアネットワーク制御プレーンデバイスまたはコアネットワークユーザプレーンデバイスによって複数の手法で生成されてよく、その結果、ターゲットＡＮは、ＤＲＢベースのエンドマーカをよりフレキシブルに生成することができる。
【０２６９】
図７−１および図７−２に示されているように、本発明の一実施形態は、エンドマーカを送信するためのさらに別の方法を提供する。本方法は、ソースＡＮとターゲットＡＮが、コアネットワークユーザプレーンデバイスを使用することによって互いに間接的に通信することが可能なシナリオに適用される。詳細は下記に説明される。
【０２７０】
７０１．ソースＡＮが、第１の切り替え要求メッセージをコアネットワーク制御プレーンデバイスへ送信する。
【０２７１】
第１の切り替え要求メッセージは、転送経路の数および第１のコンテナを搬送する。
【０２７２】
第１のコンテナについては、ステップ３００’ａにおける関連する説明を参照されたい。詳細は再度説明されない。
【０２７３】
７０２．コアネットワーク制御プレーンデバイスが、第１の切り替え要求メッセージにおける転送経路の数に基づいてリソースを転送経路に割り当てる。
【０２７４】
詳細については、ステップ５００ｂにおける関連する説明を参照されたい。
【０２７５】
７０３．コアネットワーク制御プレーンデバイスが、第２の切り替え要求メッセージをターゲットＡＮへ送信し、第２の切り替え要求メッセージが第１のコンテナを搬送する。
【０２７６】
７０４．ターゲットＡＮが、第２の切り替え要求メッセージに基づいてターゲットＤＲＢおよびターゲットＮＧ３経路を確立し、リソースを転送経路に割り当てる。
【０２７７】
具体的には、ターゲットＡＮは、第１のコンテナに基づいてターゲットＤＲＢおよびターゲットＮＧ３経路を確立する。例えば、ターゲットＡＮは、第１のコンテナにおける、ソースＤＲＢに関する情報に基づいて、ターゲットＤＲＢを確立する。ターゲットＤＲＢの数はソースＤＲＢの数と等しい。ステップ３００ｂにおける関連する説明を参照されたい。ターゲットＡＮは、第１のコンテナにおける、ソースＮＧ３経路に関する情報に基づいて、ターゲットＮＧ３経路を確立する。ステップ３００ｃにおける関連する説明を参照されたい。
【０２７８】
転送経路は、ソースＮＧ３経路に基づき得るか、またはソースＤＲＢもしくはターゲットＤＲＢに基づき得ることに留意されたい。これは、コアネットワーク制御プレーンデバイスによってソースＡＮおよび／またはターゲットＡＮのために特に事前構成され得る。ステップ６０２における関連する説明を参照されたい。詳細は再度説明されない。
【０２７９】
場合１：転送経路の数は１であり、すなわち、転送経路はソースＮＧ３経路に基づく。ステップ７０４における転送経路へのリソースの割り当てについては、ステップ３００ｄを参照されたい。詳細は再度説明されない。
【０２８０】
場合２：転送経路の数はＮであり、ＮはソースＤＲＢの数であり、すなわち、転送経路はソースＤＲＢまたはターゲットＤＲＢに基づく。ステップ７０４における転送経路へのリソースの割り当ては、
ソースＤＲＢに関する情報に基づいてリソースを転送経路に割り当てるステップ、例えば、ソースＤＲＢに関する情報における１つのソースＤＲＢのＩＤに基づいて、対応して、リソースを１つの転送経路に割り当てるステップ、または
ターゲットＤＲＢに基づいてリソースを転送経路に割り当てるステップ、例えば、１つのターゲットＤＲＢに基づいて、対応して、リソースを１つの転送経路に割り当てるステップ
を含み得る。
【０２８１】
７０５．ターゲットＡＮが、切り替え肯定応答メッセージをコアネットワーク制御プレーンデバイスへ送信する。
【０２８２】
切り替え肯定応答メッセージは、ターゲットＡＮ上の転送経路のＩＰアドレスおよびトンネルＩＤを搬送する。
【０２８３】
７０６．コアネットワーク制御プレーンデバイスが、ターゲットＡＮによって送信された切り替え肯定応答メッセージを受信し、通知メッセージをコアネットワークユーザプレーンデバイスへ送信する。
【０２８４】
通知メッセージは、ターゲットＡＮ上の転送経路のＩＰアドレスおよびトンネルＩＤを搬送する。
【０２８５】
７０７．コアネットワーク制御プレーンデバイスが、第１の切り替えコマンドをソースＡＮへ送信する。
【０２８６】
第１の切り替えコマンドは、コアネットワークユーザプレーンデバイス上の転送経路のＩＰアドレスおよびトンネルＩＤを搬送する。
【０２８７】
７０８．ソースＡＮが、第１の切り替えコマンドを受信し、ソースＡＮ上で、リソースを転送経路に割り当てる。
【０２８８】
任意選択で、本方法は、ソースＡＮによって、以下の対応のうちの少なくとも１つを記憶するステップであって、
転送経路とソースＮＧ３経路との間の対応、および
転送経路、ＵＥのＩＤ、およびソースＮＧ３経路間の対応
をさらに含む。
【０２８９】
これらの対応については、図２に示されている実施形態における関連する説明を参照されたい。
【０２９０】
７０９．ソースＡＮが第２の切り替えコマンドをＵＥへ送信する。
【０２９１】
第２の切り替えコマンドは、ハンドオーバを実施することをＵＥに命令するために使用される。
【０２９２】
７１０．ＵＥがターゲットＡＮに正常にアクセスした場合、ターゲットＡＮが、経路切り替え要求メッセージをコアネットワーク制御プレーンデバイスへ送信する。
【０２９３】
例えば、ターゲットＡＮが、ＵＥによって送信されたＲＲＣ再構成完了メッセージを受信した場合、ＵＥがターゲットＡＮに正常にアクセスしたと判定される。
【０２９４】
経路切り替え要求メッセージは、ＮＧ２接続識別子、ソースＮＧ３経路のＩＤ、およびターゲットＮＧ３経路に関する情報を搬送する。ソースＮＧ３経路のＩＤは、ソースＮＧ３経路のＩＰアドレスおよびトンネルＩＤであり得る。ソースＮＧ３経路のＩＰアドレスおよびトンネルＩＤについては、ステップ２０１における関連する説明を参照されたい。詳細は再度説明されない。
【０２９５】
７１１．コアネットワーク制御プレーンデバイスが、トンネル変更要求メッセージをコアネットワークユーザプレーンデバイスへ送信する。
【０２９６】
トンネル変更要求メッセージは、ターゲットＮＧ３経路に関する情報およびソースＮＧ３経路のＩＤを搬送する。
【０２９７】
７１２．コアネットワークユーザプレーンデバイスが、トンネル変更要求メッセージに基づいてＮＧ３経路を切り替える。
【０２９８】
ステップ７１２については、ステップ４０２における関連する説明を参照されたい。詳細は再度説明されない。
【０２９９】
７１３．コアネットワークユーザプレーンデバイスが、トンネル変更応答メッセージをコアネットワーク制御プレーンデバイスへ送信する。
【０３００】
７１４．  コアネットワークユーザプレーンデバイスが、ソースＮＧ３経路を通じて、第１のエンドマーカをソースＡＮへ送信する。
【０３０１】
第１のエンドマーカは、ソースＮＧ３経路上でのＵＥのダウンリンクデータの送信が完了したことを示すために使用され、ソースＮＧ３経路のＩＰアドレスおよびトンネルＩＤを搬送し得る。
【０３０２】
任意選択で、第１のエンドマーカは、データカテゴリインジケータまたはＵＥのＩＤをさらに搬送し得る。例えば、ソースＮＧ３経路がＡＮに基づくとき、第１のエンドマーカはＵＥのＩＤを搬送し得る。
【０３０３】
具体的には、第１のエンドマーカは、例えば、ステップ４０３における実装に基づいて、コアネットワークユーザプレーンデバイスによって生成され得るか、または第１のエンドマーカは、例えば、ステップ５０２における実装に基づいて、コアネットワーク制御プレーンデバイスによって生成され得る。詳細は再度説明されない。
【０３０４】
第１のエンドマーカがコアネットワーク制御プレーンデバイスによって生成されるとき、本方法は、コアネットワーク制御プレーンデバイスによって、生成された第１のエンドマーカをコアネットワークユーザプレーンデバイスへ送信するステップ、例えば、ステップ７１１においてトンネル変更要求メッセージを使用することによって第１のエンドマーカをコアネットワークユーザプレーンデバイスへ送信するステップをさらに含むことに留意されたい。
【０３０５】
７１５．ソースＡＮが、第１のエンドマーカに基づいてＮ個の第２のエンドマーカを生成する。
【０３０６】
ステップ７０４における場合１では、ステップ７１５において生成されるＮ個の第２のエンドマーカにおけるｉ番目の第２のエンドマーカは、ＵＥのソースＤＲＢにおけるｘ番目のソースＤＲＢのデータカテゴリインジケータを搬送し、１≦ｉ≦Ｎであり、１≦ｘ≦Ｎであり、Ｎ個の第２のエンドマーカにおけるｊ番目の第２のエンドマーカは、ＵＥのソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない。
【０３０７】
ステップ７０４における場合２では、ステップ７１５は、特に、第１のエンドマーカ、およびステップ７０８においてソースＡＮによって記憶された対応に基づいて、Ｎ個の第２のエンドマーカを生成するステップであり得る。詳細については、図２に示されている実施形態におけるステップ２０２の実装を参照されたい。詳細は再度説明されない。
【０３０８】
７１６．ソースＡＮが、転送経路を通じて、Ｎ個の第２のエンドマーカをターゲットＡＮへ送信する。
【０３０９】
ステップ７０４における場合１では、ソースＡＮは、ソースＮＧ３経路と１対１対応している転送経路を通じて、Ｎ個の第２のエンドマーカをターゲットＡＮへ送信する。ターゲットＡＮは、Ｎ個の第２のエンドマーカにおいて搬送されるデータカテゴリインジケータを、Ｎ個のターゲットＤＲＢのデータカテゴリインジケータと一致させて、ターゲットＤＲＢに対応する第２のエンドマーカを取得して、ターゲットＤＲＢ上のダウンリンクデータをソートするのを助け得る。
【０３１０】
ステップ７０４における場合２では、ソースＡＮは、Ｎ個の転送経路を通じて、Ｎ個の第２のエンドマーカをターゲットＡＮへ送信する。転送経路はソースＤＲＢまたはターゲットＤＲＢに基づき、１つの転送経路は１つのターゲットＤＲＢに対応する。したがって、１つのターゲットＤＲＢは１つの第２のエンドマーカに対応する。例えば、第２のエンドマーカが１からＮの番号を付けられ、１の番号を付けられた転送経路が、１の番号を付けられたターゲットＤＲＢに対応すると仮定すると、１の番号を付けられた第２のエンドマーカが、１の番号を付けられた転送経路を通じてターゲットＡＮへ送信されるとき、１の番号を付けられた第２のエンドマーカは、１の番号を付けられたターゲットＤＲＢに対応し、１の番号を付けられた第２のエンドマーカは、１の番号を付けられたターゲットＤＲＢ上のＵＥのダウンリンクデータをソートするために使用される。
【０３１１】
７１７．コアネットワーク制御プレーンデバイスが、ＵＥのリソースを解放することをソースＡＮに命令する。
【０３１２】
リソースはソースＤＲＢを含み得る。
【０３１３】
上記の実施形態において提供されるエンドマーカを送信するための方法は、ソースＡＮとターゲットＡＮが互いに間接的に通信するシナリオに適用される。ソースＡＮは、受信された第１のエンドマーカに基づいて、Ｎ個のターゲットＤＲＢベースの第２のエンドマーカを生成し、Ｎ個の第２のエンドマーカをターゲットＡＮへ送って、ターゲットＤＲＢ上のダウンリンクデータをソートするのを助ける。これは、ＤＲＢがコアネットワークに知られていない場合、コアネットワークがターゲットＤＲＢベースのエンドマーカをターゲットＡＮへ正確に送信することができないという問題を解決し、それによって、ＵＥのハンドオーバに起因するダウンリンクデータ障害を回避する。加えて、エンドマーカは、コアネットワーク制御プレーンデバイスまたはコアネットワークユーザプレーンデバイスによって複数の手法で生成されてよく、その結果、ソースＡＮまたはターゲットＡＮは、ＤＲＢベースのエンドマーカをよりフレキシブルに生成することができる。
【０３１４】
図７ａ−１および図７ａ−２に示されているように、本発明の一実施形態は、エンドマーカを送信するためのまた別の方法を提供する。本方法は、ソースＡＮとターゲットＡＮが、コアネットワークユーザプレーンデバイスを使用することによって互いに間接的に通信することが可能なシナリオに適用される。詳細は下記に説明される。
【０３１５】
７０１ａ．ソースＡＮが、第１の切り替え要求メッセージをコアネットワーク制御プレーンデバイスへ送信する。
【０３１６】
第１の切り替え要求メッセージは、転送経路の数および第１のコンテナを搬送する。
【０３１７】
第１のコンテナについては、ステップ３００’ａにおける関連する説明を参照されたい。詳細は再度説明されない。
【０３１８】
７０２ａ．コアネットワーク制御プレーンデバイスが、第１の切り替え要求メッセージにおける転送経路の数に基づいてリソースを転送経路に割り当てる。
【０３１９】
転送経路の数は１であり、すなわち、１つの転送経路は１つのソースＮＧ３経路に対応する。
【０３２０】
詳細については、ステップ５００ｂにおける関連する説明を参照されたい。
【０３２１】
７０３ａ．コアネットワーク制御プレーンデバイスが、第２の切り替え要求メッセージをターゲットＡＮへ送信し、第２の切り替え要求メッセージが第１のコンテナを搬送する。
【０３２２】
７０４ａ．ターゲットＡＮが、第２の切り替え要求メッセージに基づいてターゲットＤＲＢおよびターゲットＮＧ３経路を確立し、リソースを転送経路に割り当てる。
【０３２３】
具体的には、ターゲットＡＮは、第１のコンテナに基づいてターゲットＤＲＢおよびターゲットＮＧ３経路を確立する。例えば、ターゲットＡＮは、第１のコンテナにおける、ソースＤＲＢに関する情報に基づいて、ターゲットＤＲＢを確立する。ターゲットＤＲＢの数はソースＤＲＢの数と等しい。ステップ３００ｂにおける関連する説明を参照されたい。ターゲットＡＮは、第１のコンテナにおける、ソースＮＧ３経路に関する情報に基づいて、ターゲットＮＧ３経路を確立する。ステップ３００ｃにおける関連する説明を参照されたい。
【０３２４】
ステップ７０４ａにおける転送経路へのリソースの割り当てについては、ステップ３００ｄを参照されたい。詳細は再度説明されない。
【０３２５】
任意選択で、ステップ７０４ａは、ターゲットＡＮによって、以下の対応のうちの少なくとも１つを記憶するステップであって、
転送経路とターゲットＤＲＢとの間の対応、および
転送経路、ＵＥのＩＤ、およびターゲットＤＲＢ間の対応、
をさらに含む。
【０３２６】
これらの対応およびデータカテゴリインジケータについては、図３に示されている実施形態における関連する説明を参照されたい。
【０３２７】
７０５ａ．ターゲットＡＮが、切り替え肯定応答メッセージをコアネットワーク制御プレーンデバイスへ送信する。
【０３２８】
切り替え肯定応答メッセージは、ターゲットＡＮ上の転送経路のＩＰアドレスおよびトンネルＩＤを搬送する。
【０３２９】
７０６ａ．コアネットワーク制御プレーンデバイスが、ターゲットＡＮによって送信された切り替え肯定応答メッセージを受信し、通知メッセージをコアネットワークユーザプレーンデバイスへ送信する。
【０３３０】
通知メッセージは、ターゲットＡＮ上の転送経路のＩＰアドレスおよびトンネルＩＤを搬送する。
【０３３１】
７０７ａ．コアネットワーク制御プレーンデバイスが、第１の切り替えコマンドをソースＡＮへ送信する。
【０３３２】
第１の切り替えコマンドは、コアネットワークユーザプレーンデバイス上の転送経路のＩＰアドレスおよびトンネルＩＤを搬送する。
【０３３３】
７０８ａ．ソースＡＮが、第１の切り替えコマンドを受信し、ソースＡＮ上で、リソースを転送経路に割り当てる。
【０３３４】
７０９ａ．ソースＡＮが第２の切り替えコマンドをＵＥへ送信する。
【０３３５】
第２の切り替えコマンドは、ハンドオーバを実施することをＵＥに命令するために使用される。
【０３３６】
７１０ａ．ＵＥがターゲットＡＮに正常にアクセスした場合、ターゲットＡＮが、経路切り替え要求メッセージをコアネットワーク制御プレーンデバイスへ送信する。
【０３３７】
例えば、ターゲットＡＮが、ＵＥによって送信されたＲＲＣ再構成完了メッセージを受信した場合、ＵＥがターゲットＡＮに正常にアクセスしたと判定される。
【０３３８】
経路切り替え要求メッセージは、ＮＧ２接続識別子、ソースＮＧ３経路のＩＤ、およびターゲットＮＧ３経路に関する情報を搬送する。ソースＮＧ３経路のＩＤは、ソースＮＧ３経路のＩＰアドレスおよびトンネルＩＤであり得る。ソースＮＧ３経路のＩＰアドレスおよびトンネルＩＤについては、ステップ２０１における関連する説明を参照されたい。詳細は再度説明されない。
【０３３９】
７１１ａ．コアネットワーク制御プレーンデバイスが、トンネル変更要求メッセージをコアネットワークユーザプレーンデバイスへ送信する。
【０３４０】
トンネル変更要求メッセージは、ターゲットＮＧ３経路に関する情報およびソースＮＧ３経路のＩＤを搬送する。
【０３４１】
７１２ａ．コアネットワークユーザプレーンデバイスが、トンネル変更要求メッセージに基づいてＮＧ３経路を切り替える。
【０３４２】
ステップ７１２ａについては、ステップ４０２における関連する説明を参照されたい。詳細は再度説明されない。
【０３４３】
７１３ａ．コアネットワークユーザプレーンデバイスが、トンネル変更応答メッセージをコアネットワーク制御プレーンデバイスへ送信する。
【０３４４】
７１４ａ．  コアネットワークユーザプレーンデバイスが、ソースＮＧ３経路を通じて、第１のエンドマーカをソースＡＮへ送信する。
【０３４５】
第１のエンドマーカは、ソースＮＧ３経路上でのＵＥのダウンリンクデータの送信が完了したことを示すために使用され、ソースＮＧ３経路のＩＰアドレスおよびトンネルＩＤを搬送し得る。
【０３４６】
任意選択で、第１のエンドマーカは、データカテゴリインジケータまたはＵＥのＩＤをさらに搬送し得る。例えば、ソースＮＧ３経路がＡＮに基づくとき、第１のエンドマーカはＵＥのＩＤを搬送し得る。
【０３４７】
具体的には、第１のエンドマーカは、例えば、ステップ４０３における実装に基づいて、コアネットワークユーザプレーンデバイスによって生成され得るか、または第１のエンドマーカは、例えば、ステップ５０２における実装に基づいて、コアネットワーク制御プレーンデバイスによって生成され得る。詳細は再度説明されない。
【０３４８】
第１のエンドマーカがコアネットワーク制御プレーンデバイスによって生成されるとき、本方法は、コアネットワーク制御プレーンデバイスによって、生成された第１のエンドマーカをコアネットワークユーザプレーンデバイスへ送信するステップ、例えば、ステップ７１１ａにおいてトンネル変更要求メッセージを使用することによって第１のエンドマーカをコアネットワークユーザプレーンデバイスへ送信するステップをさらに含むことに留意されたい。
【０３４９】
７１５ａ．ソースＡＮが、第１のエンドマーカに基づいて第２のエンドマーカを生成する。
【０３５０】
具体的には、第２のエンドマーカは、ソースＡＮによって、第１のエンドマーカにおける経路関係の情報のみを変更すること、例えば、第１のエンドマーカにあるソースＮＧ３経路のＩＰアドレスおよびトンネルＩＤを、転送経路のＩＰアドレスおよびトンネルＩＤと交換することによって生成され得る。１つの第２のエンドマーカは、対応して、１つの第１のエンドマーカに基づいて生成される。
【０３５１】
７１６ａ．ソースＡＮが、転送経路を通じて、第２のエンドマーカをターゲットＡＮへ送信する。
【０３５２】
具体的には、ソースＡＮは、ソースＮＧ３経路と１対１対応している転送経路を通じて、第２のエンドマーカをターゲットＡＮへ送信する。
【０３５３】
７１７ａ．ターゲットＡＮが、第２のエンドマーカを受信し、第２のエンドマーカに基づいてＭ個の第３のエンドマーカを生成する。
【０３５４】
Ｍは、転送経路に対応するターゲットＤＲＢの数であることが指摘されるべきである。
【０３５５】
具体的には、ステップ７１７ａにおいて、Ｍ個の第３のエンドマーカは、第２のエンドマーカ、およびステップ７０４ａにおいてターゲットＡＮによって記憶された対応に基づいて生成され得る。詳細については、ステップ３０２における関連する説明を参照されたい。
【０３５６】
７１８ａ．コアネットワーク制御プレーンデバイスが、ＵＥのリソースを解放することをソースＡＮに命令する。
【０３５７】
リソースはソースＤＲＢを含み得る。
【０３５８】
上記の実施形態において提供されるエンドマーカを送信するための方法は、ソースＡＮとターゲットＡＮが互いに間接的に通信するシナリオに適用される。ターゲットＡＮは、受信された第１のエンドマーカに基づいて、ターゲットＤＲＢベースのエンドマーカを生成して、ターゲットＤＲＢ上のダウンリンクデータをソートするのを助ける。これは、ＤＲＢがコアネットワークに知られていない場合、コアネットワークがターゲットＤＲＢベースのエンドマーカをターゲットＡＮへ正確に送信することができないという問題を解決し、それによって、ＵＥのハンドオーバに起因するダウンリンクデータ障害を回避する。加えて、エンドマーカは、コアネットワーク制御プレーンデバイスまたはコアネットワークユーザプレーンデバイスによって複数の手法で生成されてよく、その結果、ソースＡＮまたはターゲットＡＮは、ＤＲＢベースのエンドマーカをよりフレキシブルに生成することができる。
【０３５９】
図８に示されているように、本発明の一実施形態はソースＡＮを提供する。ソースＡＮは、図２、図６−１および図６−２、または図７−１および図７−２に示されている実施形態におけるソースＡＮのアクションを実施するように構成され得る。ソースＡＮは、受信ユニット８０１、生成ユニット８０２、および送信ユニット８０３を特に含み得る。詳細は下記に説明される。
【０３６０】
受信ユニット８０１は、ソースＡＮとコアネットワークユーザプレーンデバイスとの間のソースＮＧ３経路を通じて、コアネットワークユーザプレーンデバイスによって送信された第１のエンドマーカを受信するように構成され、第１のエンドマーカは、ソースＮＧ３経路上でのＵＥのダウンリンクデータの送信が完了したことを示すために使用される。
【０３６１】
生成ユニット８０２は、受信ユニット８０１によって受信された第１のエンドマーカに基づいてＮ個の第２のエンドマーカを生成するように構成され、Ｎは、ソースＮＧ３経路に対応するソースＤＲＢの数である。
【０３６２】
送信ユニット８０３は、生成ユニット８０２によって生成されたＮ個の第２のエンドマーカを、ソースＮＧ３経路に対応する転送経路を通じてターゲットＡＮへ送信するように構成され、転送経路は、ソースＡＮによって、ソースＮＧ３経路を通じて受信されるＵＥのデータをターゲットＡＮへ転送するために使用される。
【０３６３】
任意選択で、実装シナリオでは、送信ユニット８０３は、
ソースＡＮとコアネットワークユーザプレーンデバイスとの間のソースＮＧ３経路を通じて、コアネットワークユーザプレーンデバイスによって送信された第１のエンドマーカを受信する前に、第１の切り替え要求メッセージをターゲットＡＮへ送信するようにさらに構成され、第１の切り替え要求メッセージは、ＵＥのソースデータ無線ベアラＤＲＢに関する情報およびソースＮＧ３経路に関する情報を搬送する。
【０３６４】
ＵＥのソースＤＲＢに関する情報は、ソースＤＲＢのサービス品質ＱｏＳ情報、ソースＤＲＢの識別子ＩＤ、およびソースＤＲＢのデータカテゴリインジケータを含む。
【０３６５】
ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【０３６６】
さらに、受信ユニット８０１は、
ターゲットＡＮから第１の切り替え肯定応答メッセージを受信するようにさらに構成されることがあり、第１の切り替え肯定応答メッセージは、ターゲットＡＮ上の転送経路のＩＰアドレスおよびトンネルＩＤを搬送する。
【０３６７】
任意選択で、別の実装シナリオでは、送信ユニット８０３は、
ソースＡＮとコアネットワークユーザプレーンデバイスとの間のソースＮＧ３経路を通じて、コアネットワークユーザプレーンデバイスによって送信された第１のエンドマーカを受信する前に、第２の切り替え要求メッセージをコアネットワーク制御プレーンデバイスへ送信するようにさらに構成され、第２の切り替え要求メッセージは、転送経路の数および第１のコンテナを搬送し、第１のコンテナは、ＵＥのソースＤＲＢに関する情報およびソースＮＧ３経路に関する情報を含む。
【０３６８】
ＵＥのソースＤＲＢに関する情報は、ソースＤＲＢのＱｏＳ情報、ソースＤＲＢのＩＤ、およびソースＤＲＢのデータカテゴリインジケータを含む。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【０３６９】
さらに、受信ユニット８０１は、
コアネットワーク制御プレーンデバイスによって送信された切り替えコマンドを受信するようにさらに構成されることがあり、切り替えコマンドは、コアネットワークユーザプレーンデバイス上の転送経路のＩＰアドレスおよびトンネルＩＤを搬送する。
【０３７０】
任意選択で、転送経路の数は１であり、Ｎ個の第２のエンドマーカにおけるｉ番目の第２のエンドマーカは、ソースＮＧ３経路に対応するソースＤＲＢにおけるｘ番目のソースＤＲＢのデータカテゴリインジケータを搬送し、１≦ｉ≦Ｎであり、１≦ｘ≦Ｎであり、Ｎ個の第２のエンドマーカにおけるｊ番目の第２のエンドマーカは、ソースＮＧ３経路に対応するソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない。
【０３７１】
任意選択で、転送経路の数はＮであり、生成ユニット８０２は、
第１のエンドマーカ、および転送経路とソースＮＧ３経路との間の対応に基づいて、Ｎ個の第２のエンドマーカを生成すること、または
第１のエンドマーカ、ならびに転送経路、ＵＥのＩＤ、およびソースＮＧ３経路間の対応に基づいて、Ｎ個の第２のエンドマーカを生成することであって、第１のエンドマーカはＵＥのＩＤを搬送すること、または
第１のエンドマーカ、ならびに転送経路のＩＤ、データカテゴリインジケータ、およびソースＮＧ３経路のＩＤ間の対応に基づいて、Ｎ個の第２のエンドマーカを生成することであって、第１のエンドマーカはデータカテゴリインジケータを搬送すること
を行うように特に構成され得る。
【０３７２】
第１のエンドマーカ、ならびに転送経路のＩＤ、データカテゴリインジケータ、およびソースＮＧ３経路のＩＤ間の対応に基づいて、Ｎ個の第２のエンドマーカを生成することは、
第１のエンドマーカにおいて搬送されるデータカテゴリインジケータおよびソースＮＧ３経路のＩＤに基づいて、転送経路のＩＤ、データカテゴリインジケータ、およびソースＮＧ３経路のＩＤ間の対応をチェックして、データカテゴリインジケータおよびソースＮＧ３経路のＩＤに対応する転送経路のＩＤを取得することと、
転送経路の取得されたＩＤに基づいて、Ｎ個の第２のエンドマーカを生成することと
を含み得る。
【０３７３】
上記のアクションに関する詳細、ならびに第１のエンドマーカ、第２のエンドマーカ、およびデータカテゴリインジケータなど、上記の名詞の意味については、図２、図６−１および図６−２、または図７−１および図７−２に示されている実施形態における関係する説明への参照が行われ得ることが指摘されるべきである。詳細は再度説明されない。
【０３７４】
上記の実施形態において提供されるソースＡＮは、コアネットワークユーザプレーンデバイスによって送信されソースＮＧ３経路を通じて受信される第１のエンドマーカに基づいて、ＤＲＢベースの第２のエンドマーカを生成し、ＤＲＢに対応する転送経路を通じて、第２のエンドマーカをターゲットＡＮへ送って、ターゲットＤＲＢ上のダウンリンクデータをソートするのを助ける。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０３７５】
図９に示されているように、本発明の一実施形態はターゲットＡＮを提供する。ターゲットＡＮは、図３、図６ａ−１および図６ａ−２、または図７ａ−１および図７ａ−２に示されている実施形態におけるターゲットＡＮのアクションを実施するように構成され得る。ターゲットＡＮは、以下で説明されるように、受信ユニット９０１および生成ユニット９０２を特に含み得る。
【０３７６】
受信ユニット９０１は、ソースＡＮによって送信された第２のエンドマーカを受信するように構成され、転送経路は、ソースＡＮによって、ソースＮＧ３経路を通じて受信されるＵＥのデータをターゲットＡＮへ転送するために使用される。転送経路は、ソースＮＧ３経路と１対１対応している。
【０３７７】
生成ユニット９０２は、受信ユニット９０１によって受信された第２のエンドマーカに基づいてＭ個の第３のエンドマーカを生成するように構成され、Ｍは、転送経路に対応するターゲットＤＲＢの数であり、第３のエンドマーカは、第３のエンドマーカに対応するターゲットＤＲＢ上のＵＥのダウンリンクデータをソートするために使用される。
【０３７８】
任意選択で、生成ユニット９０２は、
第２のエンドマーカ、および転送経路とターゲットＤＲＢとの間の対応に基づいて、Ｍ個の第３のエンドマーカを生成すること、または
第２のエンドマーカ、ならびに転送経路、ユーザ機器ＵＥの識別子ＩＤ、およびターゲットＤＲＢ間の対応に基づいて、Ｍ個の第３のエンドマーカを生成することであって、第２のエンドマーカはＵＥのＩＤを搬送すること
を行うように特に構成され得る。
【０３７９】
任意選択で、実装シナリオでは、ターゲットＡＮは、第１の処理ユニット９０３をさらに含み、
受信ユニット９０１は、転送経路を通じて、ソースＡＮによって送信された第２のエンドマーカを受信する前に、ソースＡＮによって送信された第１の切り替え要求メッセージを受信するようにさらに構成され、第１の切り替え要求メッセージは、ＵＥのソースＤＲＢに関する情報およびソースＮＧ３経路に関する情報を搬送し、
第１の処理ユニット９０３は、ソースＤＲＢに関する情報に基づいてターゲットＤＲＢを確立し、ソースＮＧ３経路に関する情報に基づいてターゲットＮＧ３経路を確立し、リソースを転送経路に割り当てるように構成され、
ＵＥのソースＤＲＢに関する情報は、ソースＤＲＢのサービス品質ＱｏＳ情報、ソースＤＲＢのＩＤ、およびソースＤＲＢのデータカテゴリインジケータを含み、ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【０３８０】
任意選択で、ターゲットＡＮは、
第１の切り替え肯定応答メッセージをソースＡＮへ送信するように構成された第１の送信ユニット９０４をさらに含み、第１の切り替え肯定応答メッセージは、ターゲットＡＮ上の転送経路のＩＰアドレスおよびトンネルＩＤを搬送する。
【０３８１】
任意選択で、ターゲットＡＮは、
第１の経路切り替え要求メッセージをコアネットワーク制御プレーンデバイスへ送信するように構成された第２の送信ユニット９０５をさらに含み、第１の経路切り替え要求メッセージは、ＮＧ３経路を切り替えることを要求するために使用される。
【０３８２】
第１の経路切り替え要求メッセージは、ソースＮＧ３経路のＩＤおよびターゲットＮＧ３経路に関する情報を搬送する。ターゲットＮＧ３経路に関する情報は、ターゲットＡＮ上のターゲットＮＧ３経路のＩＰアドレスおよびトンネルＩＤを含む。
【０３８３】
第１の経路切り替え要求メッセージは、ターゲットＮＧ３経路のデータカテゴリインジケータリストをさらに搬送し得る。
【０３８４】
任意選択で、第２の実装シナリオでは、ターゲットＡＮは、第２の処理ユニット９０６および第３の送信ユニット９０７をさらに含み、
受信ユニット９０１は、転送経路を通じて、ソースＡＮによって送信された第２のエンドマーカを受信する前に、コアネットワーク制御プレーンデバイスによって送信された第３の切り替え要求メッセージを受信するようにさらに構成され、第３の切り替え要求メッセージは第１のコンテナを搬送し、第１のコンテナは、ＵＥのソースＤＲＢに関する情報およびソースＮＧ３経路に関する情報を含み、
第２の処理ユニット９０６は、ソースＤＲＢに関する情報に基づいてターゲットＤＲＢを確立し、ソースＮＧ３経路に関する情報に基づいてターゲットＮＧ３経路を確立し、第３の切り替え要求メッセージに基づいてリソースを転送経路に割り当てるように構成され、
第３の送信ユニット９０７は、第２の切り替え肯定応答メッセージをコアネットワーク制御プレーンデバイスへ送信するように構成され、第２の切り替え肯定応答メッセージは、ターゲットＡＮの転送経路に関する情報を搬送する。
【０３８５】
ＵＥのソースＤＲＢに関する情報は、ソースＤＲＢのＱｏＳ情報、ソースＤＲＢのＩＤ、およびソースＤＲＢのデータカテゴリインジケータを含む。ソースＮＧ３経路に関する情報は、ソースＡＮ上のソースＮＧ３経路のＩＰアドレスおよびトンネルＩＤ、ならびにコアネットワークユーザプレーンデバイス上のソースＮＧ３経路のＩＰアドレスおよびトンネルＩＤを含む。
【０３８６】
第３の送信ユニット９０７は、
第２の経路切り替え要求メッセージをコアネットワーク制御プレーンデバイスへ送信するようにさらに構成されることがあり、第２の経路切り替え要求メッセージは、ＮＧ３経路を切り替えることを要求するために使用される。
【０３８７】
第２の経路切り替え要求メッセージは、ソースＮＧ３経路のＩＤ、ターゲットＮＧ３経路に関する情報、およびＮＧ２接続識別子を搬送する。ターゲットＮＧ３経路に関する情報は、ターゲットＡＮ上のターゲットＮＧ３経路のＩＰアドレスおよびトンネルＩＤを含む。ＮＧ２接続識別子は、ＵＥのハンドオーバが完了したことを示すために使用される。
【０３８８】
上記のアクションに関する詳細、ならびに第３のエンドマーカ、ＮＧ２接続識別子、およびデータカテゴリインジケータなど、上記の名詞の意味については、図３、図６ａ−１および図６ａ−２、または図７ａ−１および図７ａ−２に示されている実施形態における関係する説明への参照が行われ得ることが指摘されるべきである。詳細は再度説明されない。
【０３８９】
上記の実施形態において提供されるターゲットＡＮは、ソースＡＮによって送信され転送経路を通じて受信される第２のエンドマーカに基づいて、ターゲットＤＲＢベースの第３のエンドマーカを生成して、ターゲットＤＲＢ上のＵＥのダウンリンクデータをソートするのを助ける。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０３９０】
図１０に示されているように、本発明の一実施形態は、コアネットワークユーザプレーンデバイスを提供する。コアネットワークユーザプレーンデバイスは、図４、または図６−１および図６−２から図７ａ−１および図７ａ−２に示されている実施形態のいずれか１つにおけるコアネットワークユーザプレーンデバイスのアクションを実施するように構成され得る。本デバイスは、
コアネットワーク制御プレーンデバイスによって送信されたトンネル変更要求メッセージを受信するように構成された受信ユニット１００１であって、トンネル変更要求メッセージは、ソースＮＧ３経路のＩＤおよびターゲットＮＧ３経路に関する情報を搬送し、ソースＮＧ３経路は、ソースアクセスノードＡＮとコアネットワークユーザプレーンデバイスとの間の伝送経路であり、ターゲットＮＧ３経路は、ターゲットＡＮとコアネットワークユーザプレーンデバイスとの間の伝送経路であり、ターゲットＮＧ３経路に関する情報は、ターゲットＡＮ上のターゲットＮＧ３経路のＩＰアドレスおよびトンネルＩＤを含む、受信ユニット１００１と、
トンネル変更要求メッセージに基づいてＮＧ３経路を切り替えるように構成された切り替えユニット１００２と、
第１のエンドマーカを生成し、ソースＮＧ３経路を通じて、第１のエンドマーカをソースＡＮへ送信するように構成された生成ユニット１００３であって、第１のエンドマーカは、ソースＮＧ３経路上でのユーザ機器ＵＥのダウンリンクデータの送信が完了したことを示すために使用される、生成ユニット１００３と
を特に含み得る。
【０３９１】
任意選択で、生成ユニット１００３は、
ソースＮＧ３経路のＩＤに基づいて第１のエンドマーカを生成することであって、第１のエンドマーカの数はソースＮＧ３経路の数と等しいこと、または
ターゲットＮＧ３経路のデータカテゴリインジケータリストに基づいて第１のエンドマーカを生成することであって、第１のエンドマーカの数は、データカテゴリインジケータリスト中に含まれるデータカテゴリインジケータの数と等しいこと、または
ＵＥのＩＤおよびソースＮＧ３経路のＩＤに基づいて第１のエンドマーカを生成することであって、第１のエンドマーカはＵＥのＩＤを搬送し、第１のエンドマーカの数はソースＮＧ３経路の数と等しいこと
を行うように特に構成される。
【０３９２】
トンネル変更要求メッセージは、ターゲットＮＧ３経路のデータカテゴリインジケータリストまたはＵＥのＩＤをさらに搬送し得る。
【０３９３】
上記のアクションに関する詳細、ならびに第１のエンドマーカおよびデータカテゴリインジケータなど、上記の名詞の意味については、図４、または図６−１および図６−２から図７ａ−１および図７ａ−２に示されている実施形態における関係する説明への参照が行われ得ることが指摘されるべきである。詳細は再度説明されない。
【０３９４】
上記の実施形態において提供されるコアネットワークユーザプレーンデバイスは、複数の手法で第１のエンドマーカを生成し、第１のエンドマーカをソースＡＮへ送信し、その結果、ソースＡＮまたはターゲットＡＮは、ＤＲＢベースのエンドマーカをよりフレキシブルに生成することが可能である。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０３９５】
図１１に示されているように、本発明の一実施形態は、コアネットワーク制御プレーンデバイスを提供する。コアネットワーク制御プレーンデバイスは、図５から図７ａ−１および図７ａ−２に示されている実施形態のいずれか１つにおけるコアネットワーク制御プレーンデバイスのアクションを実施するように構成され得る。本デバイスは、受信ユニット１１０１、生成ユニット１１０２、および送信ユニット１１０３を含み得る。詳細は下記に説明される。
【０３９６】
受信ユニット１１０１は、ターゲットアクセスノードＡＮによって送信された経路切り替え要求メッセージを受信するように構成され、経路切り替え要求メッセージは、ＮＧ３経路を切り替えることを要求するために使用され、経路切り替え要求メッセージは、ソースＮＧ３経路のＩＤおよびターゲットＮＧ３経路に関する情報を搬送し、ターゲットＮＧ３経路に関する情報は、ターゲットＡＮ上のターゲットＮＧ３経路のＩＰアドレスおよびトンネルＩＤを含む。
【０３９７】
生成ユニット１１０２は、第１のエンドマーカを生成するように構成され、第１のエンドマーカは、ソースＮＧ３経路上でのユーザ機器ＵＥのダウンリンクデータの送信が完了したことを示すために使用される。
【０３９８】
送信ユニット１１０３は、トンネル変更要求メッセージをコアネットワークユーザプレーンデバイスへ送信するように構成され、トンネル変更要求メッセージは、ソースＮＧ３経路のＩＤ、ターゲットＮＧ３経路に関する情報、および第１のエンドマーカを搬送する。
【０３９９】
任意選択で、生成ユニット１１０２は、
ソースＮＧ３経路のＩＤに基づいて第１のエンドマーカを生成することであって、第１のエンドマーカの数はソースＮＧ３経路の数と等しいこと、または
ターゲットＮＧ３経路のデータカテゴリインジケータリストに基づいて第１のエンドマーカを生成することであって、第１のエンドマーカの数は、データカテゴリインジケータリスト中に含まれるデータカテゴリインジケータの数と等しいこと、または
ＵＥのＩＤおよびソースＮＧ３経路のＩＤに基づいて第１のエンドマーカを生成することであって、第１のエンドマーカはＵＥのＩＤを搬送し、第１のエンドマーカの数はソースＮＧ３経路の数と等しいこと
を行うように特に構成される。
【０４００】
任意選択で、経路切り替え要求メッセージはＮＧ２接続識別子をさらに搬送し、ＮＧ２接続識別子は、ＵＥのハンドオーバが完了したことを示すために使用されるか、または
経路切り替え要求メッセージは、ターゲットＮＧ３経路のデータカテゴリインジケータリストをさらに搬送し、トンネル変更要求メッセージは、ターゲットＮＧ３経路のデータカテゴリインジケータリストをさらに搬送する。
【０４０１】
任意選択で、コアネットワーク制御プレーンデバイスは処理ユニット１１０４をさらに含み、
受信ユニット１１０１は、ターゲットＡＮによって送信された経路切り替え要求メッセージを受信する前に、ソースＡＮによって送信された第２の切り替え要求メッセージを受信するようにさらに構成され、第２の切り替え要求メッセージは、転送経路の数および第１のコンテナを搬送し、第１のコンテナは、ＵＥのソースＤＲＢに関する情報およびソースＮＧ３経路に関する情報を含み、
処理ユニット１１０４は、転送経路の数に基づいてリソースを転送経路に割り当てるように構成され、
送信ユニット１１０３は、第３の切り替え要求メッセージをターゲットＡＮへ送信するようにさらに構成され、第３の切り替え要求メッセージは第１のコンテナを搬送し、
受信ユニット１１０１は、ターゲットＡＮによって送信された第２の切り替え肯定応答メッセージを受信するようにさらに構成され、第２の切り替え肯定応答メッセージは、ターゲットＡＮ上の転送経路のＩＰアドレスおよびトンネルＩＤを搬送する。
【０４０２】
任意選択で、送信ユニット１１０３は、
切り替えコマンドをソースＡＮへ送信するようにさらに構成され、切り替えコマンドは、コアネットワークユーザプレーンデバイス上の転送経路のＩＰアドレスおよびトンネルＩＤを搬送する。
【０４０３】
任意選択で、送信ユニット１１０３は、
第１の通知メッセージをコアネットワークユーザプレーンデバイスへ送信するようにさらに構成され、第１の通知メッセージは、転送経路へのリソースの割り当てが完了したことをコアネットワークユーザプレーンデバイスに通知するために使用される。
【０４０４】
上記のアクションに関する詳細、ならびに第１のエンドマーカおよびデータカテゴリインジケータなど、上記の名詞の意味については、図５から図７ａ−１および図７ａ−２に示されている実施形態における関係する説明への参照が行われ得ることが指摘されるべきである。詳細は再度説明されない。
【０４０５】
上記の実施形態において提供されるコアネットワーク制御プレーンデバイスは、複数の手法で第１のエンドマーカを生成し、コアネットワークユーザプレーンデバイスを使用することによって第１のエンドマーカをソースＡＮへ送信し、その結果、ソースＡＮまたはターゲットＡＮは、ＤＲＢベースのエンドマーカをよりフレキシブルに生成することが可能である。これは、ＤＲＢがコアネットワークに知られていない場合、コアネットワークがＤＲＢベースのエンドマーカをターゲットＡＮへ正確に送信することができないという問題を解決し、それによって、ＵＥのハンドオーバに起因するダウンリンクデータ障害を回避する。
【０４０６】
図１２に示されているように、本発明の一実施形態はソースＡＮを提供する。ソースＡＮは、以下で説明されるように、プロセッサ１２０１、メモリ１２０２、通信インターフェース１２０３、およびトランシーバ１２０４を含み得る。
【０４０７】
メモリ１２０２は、プログラムを記憶するように構成される。
【０４０８】
プロセッサ１２０１は、メモリ１２０２に記憶されたプログラムを実行して、図２、図６−１および図６−２、または図７−１および図７−２に示されている実施形態におけるソースＡＮのアクションを実装するように構成される。詳細は再度説明されない。
【０４０９】
図２、図６−１および図６−２、または図７−１および図７−２に示されている実施形態では、ソースＡＮによって、ターゲットＡＮ、コアネットワーク制御プレーンデバイス、またはコアネットワークユーザプレーンデバイスへ送信されるメッセージは、通信インターフェース１２０３を通じて送信されることがあり、ソースＡＮはまた、通信インターフェース１２０３を通じて、ターゲットＡＮ、コアネットワーク制御プレーンデバイス、またはコアネットワークユーザプレーンデバイスによってソースＡＮへ送信されたメッセージを受信することがあることに留意されたい。加えて、ソースＡＮによってＵＥへ送信されるメッセージは、トランシーバ１２０４を使用することによって送信されることがあり、ソースＡＮはまた、トランシーバ１２０４を使用することによって、ＵＥによってソースＡＮへ送信されたメッセージを受信することがある。
【０４１０】
図１３に示されているように、本発明の一実施形態はターゲットＡＮを提供する。ターゲットＡＮは、以下で説明されるように、プロセッサ１３０１、メモリ１３０２、通信インターフェース１３０３、およびトランシーバ１３０４を特に含み得る。
【０４１１】
メモリ１３０２は、プログラムを記憶するように構成される。
【０４１２】
プロセッサ１３０１は、メモリ１３０２に記憶されたプログラムを実行して、図２、図６ａ−１および図６ａ−２、または図７ａ−１および図７ａ−２に示されている実施形態におけるターゲットＡＮのアクションを実装するように構成される。詳細は再度説明されない。
【０４１３】
図２、図６ａ−１および図６ａ−２、または図７ａ−１および図７ａ−２に示されている実施形態では、ターゲットＡＮによって、ソースＡＮ、コアネットワーク制御プレーンデバイス、またはコアネットワークユーザプレーンデバイスへ送信されるメッセージは、通信インターフェース１３０３を通じて送信されることがあり、ターゲットＡＮはまた、通信インターフェース１３０３を通じて、ソースＡＮ、コアネットワーク制御プレーンデバイス、またはコアネットワークユーザプレーンデバイスによってターゲットＡＮへ送信されたメッセージを受信することがあることに留意されたい。加えて、ターゲットＡＮによってＵＥへ送信されるメッセージは、トランシーバ１３０４を使用することによって送信されることがあり、ターゲットＡＮはまた、トランシーバ１３０４を使用することによって、ＵＥによってターゲットＡＮへ送信されたメッセージを受信することがある。
【０４１４】
図１４に示されているように、本発明の一実施形態は、コアネットワークユーザプレーンデバイスを提供する。コアネットワークユーザプレーンデバイスは、以下で説明されるように、プロセッサ１４０１、メモリ１４０２、および通信インターフェース１４０３を含み得る。
【０４１５】
メモリ１４０２は、プログラムを記憶するように構成される。
【０４１６】
プロセッサ１４０１は、メモリ１４０２に記憶されたプログラムを実行して、図４、または図６−１および図６−２から図７ａ−１および図７ａ−２に示されている実施形態のいずれか１つにおけるコアネットワークユーザプレーンデバイスのアクションを実装するように構成される。詳細は再度説明されない。
【０４１７】
コアネットワークユーザプレーンデバイスによってソースＡＮまたはコアネットワーク制御プレーンデバイスへ送信されるメッセージは、通信インターフェース１４０３を通じて送信されることがあり、コアネットワークユーザプレーンデバイスはまた、通信インターフェース１４０３を通じて、ソースＡＮまたはコアネットワーク制御プレーンデバイスによってコアネットワークユーザプレーンデバイスへ送信されたメッセージを受信することがあることに留意されたい。
【０４１８】
図１５に示されているように、本発明の一実施形態は、以下で説明されるように、プロセッサ１５０１、メモリ１５０２、および通信インターフェース１５０３を含む、コアネットワーク制御プレーンデバイスを提供する。
【０４１９】
メモリ１５０２は、プログラムを記憶するように構成される。
【０４２０】
プロセッサ１５０１は、メモリ１５０２に記憶されたプログラムを実行して、図５から図７ａ−１および図７ａ−２に示されている実施形態のいずれか１つにおけるコアネットワーク制御プレーンデバイスのアクションを実装するように構成される。詳細は再度説明されない。
【０４２１】
コアネットワーク制御プレーンデバイスによってソースＡＮ、コアネットワークユーザプレーンデバイス、またはターゲットＡＮへ送信されるメッセージは、通信インターフェース１５０３を通じて送信されることがあり、コアネットワーク制御プレーンデバイスはまた、通信インターフェース１５０３を通じて、ソースＡＮ、コアネットワークユーザプレーンデバイス、またはターゲットＡＮによってコアネットワーク制御プレーンデバイスへ送信されたメッセージを受信することがあることに留意されたい。
【０４２２】
本発明は、通信システムをさらに提供する。本システムは、図８に示されているソースＡＮ、図１０に示されているコアネットワークユーザプレーンデバイス、および図１１に示されているコアネットワーク制御プレーンデバイスを含み得る。加えて、本システムは、ソースＡＮによって送信されたＮ個の第２のエンドマーカを受信するように構成されたターゲットＡＮをさらに含み得る。ターゲットＡＮは、Ｎ個の第２のエンドマーカを使用することによってターゲットＤＲＢ上のＵＥのダウンリンクデータをソートするようにさらに構成され得る。
【０４２３】
システム中の各ネットワーク要素によって実施されるアクションについては、図６−１および図６−２または図７−１および図７−２に示されている実施形態への参照が行われ得ることに留意されたい。
【０４２４】
本発明は、別の通信システムをさらに提供する。本システムは、転送経路がソースＮＧ３経路と１対１対応しているシナリオに適用されてよく、図９に示されているターゲットＡＮ、図１０に示されているコアネットワークユーザプレーンデバイス、および図１１に示されているコアネットワーク制御プレーンデバイスを特に含み得る。加えて、本システムは、コアネットワークユーザプレーンデバイスによって送信された第１のエンドマーカを受信し、第１のエンドマーカに基づいて第２のエンドマーカを生成し、ソースＮＧ３経路に対応する転送経路を通じて、第２のエンドマーカをターゲットＡＮへ送信するように構成された、ソースＡＮをさらに含み得る。
【０４２５】
システム中の各ネットワーク要素によって実施されるアクションについては、図６ａ−１および図６ａ−２または図７ａ−１および図７ａ−２に示されている実施形態への参照が行われ得ることに留意されたい。
【０４２６】
方法実施形態のすべてまたはいくつかのステップは、関係するハードウェアに命令するプログラムによって実装され得ることを当業者は理解されよう。プログラムはコンピュータ可読記憶媒体に記憶され得る。プログラムが実行されたとき、方法実施形態のステップが実施される。記憶媒体は、ＲＯＭ、ＲＡＭ、磁気ディスク、または光ディスクなど、プログラムコードを記憶することができる任意の媒体を含む。
【０４２７】
最後に、上記の実施形態は、本発明の技術的解決策を説明するために意図されているにすぎず、本発明を限定するために意図されていないことに留意されたい。本発明について上記の実施形態に関して詳細に説明されたが、当業者は、依然として、本発明の実施形態の技術的解決策の範囲から逸脱することなく、上記の実施形態において説明された技術的解決策に変更を加えるか、またはそれらのいくつかの技術的特徴に均等の交換を行い得ることを理解されたい。
【図１】
2019533392.tif 000003
【図２】
2019533392.tif 000004
【図３】
2019533392.tif 000005
【図４】
2019533392.tif 000006
【図５】
2019533392.tif 000007
【図６−１】
2019533392.tif 000008
【図６−２】
2019533392.tif 000009
【図６ａ−１】
2019533392.tif 000010
【図６ａ−２】
2019533392.tif 000011
【図７−１】
2019533392.tif 000012
【図７−２】
2019533392.tif 000013
【図７ａ−１】
2019533392.tif 000014
【図７ａ−２】
2019533392.tif 000015
【図８】
2019533392.tif 000016
【図９】
2019533392.tif 000017
【図１０】
2019533392.tif 000018
【図１１】
2019533392.tif 000019
【図１２】
2019533392.tif 000020
【図１３】
2019533392.tif 000021
【図１４】
2019533392.tif 000022
【図１５】
2019533392.tif 000023
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
エンドマーカを送信する方法であって、
ソースアクセスノード（ＡＮ）によって、前記ソースＡＮとコアネットワークユーザプレーンデバイスとの間のソース次世代３（ＮＧ３）経路を通じて、前記コアネットワークユーザプレーンデバイスからの第１のエンドマーカを受信するステップであって、前記第１のエンドマーカは、前記ソースＮＧ３経路上でのユーザ機器（ＵＥ）のダウンリンクデータの送信が完了したことを示すために使用される、ステップと、
前記ソースＡＮによって、前記第１のエンドマーカに基づいてＮ個の第２のエンドマーカを生成するステップであって、Ｎは、前記ソースＮＧ３経路に対応するソースデータ無線ベアラ（ＤＲＢ）の数である、ステップと、
前記ソースＡＮによって、前記ソースＮＧ３経路に対応する転送経路を通じて前記Ｎ個の第２のエンドマーカをターゲットＡＮへ送信するステップであって、前記転送経路は、前記ソースＮＧ３経路を通じて受信された前記ＵＥのデータを前記ターゲットＡＮへ転送するために、前記ソースＡＮによって使用される、ステップと
を備えた方法。
【請求項２】
前記Ｎは２以上である請求項１に記載の方法。
【請求項３】
ソースＡＮによって、前記ソースＡＮとコアネットワークユーザプレーンデバイスとの間のソースＮＧ３経路を通じて、前記コアネットワークユーザプレーンデバイスからの第１のエンドマーカを受信する前記ステップの前に、前記方法は、
前記ソースＡＮによって、第１の切り替え要求メッセージを前記ターゲットＡＮへ送信するステップであって、前記第１の切り替え要求メッセージは、前記ＵＥの前記ソースＤＲＢに関する情報および前記ソースＮＧ３経路に関する情報を搬送する、ステップをさらに備え、
前記ＵＥの前記ソースＤＲＢに関する前記情報は、前記ソースＤＲＢのサービス品質ＱｏＳ情報、前記ソースＤＲＢの識別子（ＩＤ）、および前記ソースＤＲＢのデータカテゴリインジケータを含み、
前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１または２に記載の方法。
【請求項４】
ソースＡＮによって、前記ソースＡＮとコアネットワークユーザプレーンデバイスとの間のソースＮＧ３経路を通じて、前記コアネットワークユーザプレーンデバイスからの第１のエンドマーカを受信する前記ステップの前に、前記方法は、
前記ソースＡＮによって、第２の切り替え要求メッセージをコアネットワーク制御プレーンデバイスへ送信するステップであって、前記第２の切り替え要求メッセージは、前記転送経路の数および第１のコンテナを搬送し、前記第１のコンテナは、前記ＵＥの前記ソースＤＲＢに関する情報および前記ソースＮＧ３経路に関する情報を含む、ステップをさらに備え、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項１または２に記載の方法。
【請求項５】
前記転送経路の数はＮであり、前記ソースＡＮによって、前記第１のエンドマーカに基づいてＮ個の第２のエンドマーカを生成する前記ステップは、
前記ソースＡＮによって、前記第１のエンドマーカ、および前記転送経路と前記ソースＮＧ３経路との間の対応に基づいて、前記Ｎ個の第２のエンドマーカを生成するステップ
を含む請求項１乃至４のいずれか一項に記載の方法。
【請求項６】
前記転送経路の数は１であり、前記Ｎ個の第２のエンドマーカにおけるｉ番目の第２のエンドマーカは、前記ソースＮＧ３経路に対応する前記ソースＤＲＢにおけるｘ番目のソースＤＲＢのデータカテゴリインジケータを搬送し、１≦ｉ≦Ｎであり、１≦ｘ≦Ｎであり、前記Ｎ個の第２のエンドマーカにおけるｊ番目の第２のエンドマーカは、前記ソースＮＧ３経路に対応する前記ソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない請求項１乃至４のいずれか一項に記載の方法。
【請求項７】
ソースアクセスノード（ＡＮ）であって、
前記ソースＡＮとコアネットワークユーザプレーンデバイスとの間のソース次世代３（ＮＧ３）経路を通じて、前記コアネットワークユーザプレーンデバイスからの第１のエンドマーカを受信するように構成された受信ユニットであって、前記第１のエンドマーカは、前記ソースＮＧ３経路上でのユーザ機器（ＵＥ）のダウンリンクデータの送信が完了したことを示すために使用される、受信ユニットと、
前記受信ユニットによって受信された前記第１のエンドマーカに基づいて、Ｎ個の第２のエンドマーカを生成するように構成された生成ユニットあって、Ｎは、前記ソースＮＧ３経路に対応するソースデータ無線ベアラ（ＤＲＢ）の数である、生成ユニットと、
前記生成ユニットによって生成された前記Ｎ個の第２のエンドマーカを、前記ソースＮＧ３経路に対応する転送経路を通じて、ターゲットＡＮへ送信するように構成された送信ユニットであって、前記転送経路は、前記ソースＮＧ３経路を通じて受信された前記ＵＥのデータを前記ターゲットＡＮへ転送するために、前記ソースＡＮによって使用される、送信ユニットと
を備えたソースアクセスノード（ＡＮ）。
【請求項８】
前記Ｎは２以上である請求項７に記載のソースＡＮ。
【請求項９】
前記送信ユニットは、
前記ソースＡＮと前記コアネットワークユーザプレーンデバイスとの間の前記ソースＮＧ３経路を通じて、前記コアネットワークユーザプレーンデバイスからの前記第１のエンドマーカを受信する前に、第１の切り替え要求メッセージを前記ターゲットＡＮへ送信するようにさらに構成され、前記第１の切り替え要求メッセージは、前記ＵＥの前記ソースＤＲＢに関する情報および前記ソースＮＧ３経路に関する情報を搬送し、
前記ＵＥの前記ソースＤＲＢに関する前記情報は、前記ソースＤＲＢのサービス品質ＱｏＳ情報、前記ソースＤＲＢの識別子ＩＤ、および前記ソースＤＲＢのデータカテゴリインジケータを含み、
前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項７または８に記載のソースＡＮ。
【請求項１０】
前記送信ユニットは、
前記ソースＡＮと前記コアネットワークユーザプレーンデバイスとの間の前記ソースＮＧ３経路を通じて、前記コアネットワークユーザプレーンデバイスからの前記第１のエンドマーカを受信する前に、第２の切り替え要求メッセージをコアネットワーク制御プレーンデバイスへ送信するようにさらに構成され、前記第２の切り替え要求メッセージは、前記転送経路の数および第１のコンテナを搬送し、前記第１のコンテナは、前記ＵＥの前記ソースＤＲＢに関する情報および前記ソースＮＧ３経路に関する情報を含み、
前記ＵＥの前記ソースＤＲＢに関する前記情報は、前記ソースＤＲＢのＱｏＳ情報、前記ソースＤＲＢのＩＤ、および前記ソースＤＲＢのデータカテゴリインジケータを含み、前記ソースＮＧ３経路に関する前記情報は、前記ソースＡＮ上の前記ソースＮＧ３経路のＩＰアドレスおよびトンネルＩＤ、ならびに前記コアネットワークユーザプレーンデバイス上の前記ソースＮＧ３経路のＩＰアドレスおよびトンネルＩＤを含む請求項７または８に記載のソースＡＮ。
【請求項１１】
前記転送経路の数はＮであり、前記生成ユニットは、
前記第１のエンドマーカ、および前記転送経路と前記ソースＮＧ３経路との間の対応に基づいて、前記Ｎ個の第２のエンドマーカを生成するようにさらに構成される請求項７乃至１０のいずれか一項に記載のソースＡＮ。
【請求項１２】
前記転送経路の数は１であり、前記Ｎ個の第２のエンドマーカにおけるｉ番目の第２のエンドマーカは、前記ソースＮＧ３経路に対応する前記ソースＤＲＢにおけるｘ番目のソースＤＲＢのデータカテゴリインジケータを搬送し、１≦ｉ≦Ｎであり、１≦ｘ≦Ｎであり、前記Ｎ個の第２のエンドマーカにおけるｊ番目の第２のエンドマーカは、前記ソースＮＧ３経路に対応する前記ソースＤＲＢにおけるｙ番目のソースＤＲＢのデータカテゴリインジケータを搬送し、１≦ｊ≦Ｎであり、１≦ｙ≦Ｎであり、ｉ、ｊ、ｘ、およびｙはすべて整数であり、ｉはｊと等しくなく、ｘはｙと等しくない請求項７乃至１０のいずれか一項に記載のソースＡＮ。
【請求項１３】
通信システムであって、ソースアクセスノード（ＡＮ）と、コアネットワークユーザプレーンデバイスと、ターゲットＡＮとを備え、
前記コアネットワークユーザプレーンデバイスは、前記ソースＡＮと前記コアネットワークユーザプレーンデバイスとの間のソース次世代３（ＮＧ３）経路を通じて、第１のエンドマーカを前記ソースＡＮへ送信するように構成され、前記第１のエンドマーカは、前記ソースＮＧ３経路上でのユーザ機器（ＵＥ）のダウンリンクデータの送信が完了したことを示すために使用され、
前記ソースＡＮは、前記第１のエンドマーカを受信し、前記第１のエンドマーカに基づいて、Ｎ個の第２のエンドマーカを生成し、Ｎは、前記ソースＮＧ３経路に対応するソースデータ無線ベアラ（ＤＲＢ）の数であり、前記ソースＮＧ３経路に対応する転送経路を通じて前記ターゲットＡＮへ前記Ｎ個の第２のエンドマーカを送信するように構成され、前記転送経路は、前記ソースＮＧ３経路を通じて受信された前記ＵＥのデータを前記ターゲットＡＮへ転送するために、前記ソースＡＮによって使用され、
前記ターゲットＡＮは、前記Ｎ個の第２のエンドマーカを受信するように構成される通信システム。
【請求項１４】
前記Ｎは２以上である請求項１３に記載の通信システム。
【請求項１５】
プログラムが記憶されたコンピュータ可読媒体であって、前記プログラムは、コンピュータに、請求項１乃至６のいずれか一項の方法を実行させるコンピュータ可読媒体。
【請求項１６】
請求項１乃至６のいずれか一項の方法を行うために使用される、プログラムコードのグループを備えるコンピュータプログラム。
【手続補正２】
【補正対象書類名】明細書
【補正対象項目名】０１３９
【補正方法】変更
【補正の内容】
【０１３９】
第２の経路切り替え要求メッセージは、ソースＮＧ３経路のＩＤ、ターゲットＮＧ３経路に関する情報、およびＮＧ２接続識別子を搬送し得る。具体的には、ソースＮＧ３経路のＩＤについては、ステップ３００ｆにおける関連する説明を参照されたい。ターゲットＮＧ３経路に関する情報は、ターゲットＡＮ上のターゲットＮＧ３経路のＩＰアドレスおよびトンネルＩＤを含み得る。ＮＧ２接続識別子は、ＵＥのハンドオーバが完了したことを示すために使用される。
【手続補正３】
【補正対象書類名】明細書
【補正対象項目名】０１４３
【補正方法】変更
【補正の内容】
【０１４３】
具体的には、ソースＮＧ３経路のＩＤについては、ステップ３００ｆにおける関連する説明を参照されたい。詳細は再度説明されない。
【手続補正４】
【補正対象書類名】明細書
【補正対象項目名】０１６７
【補正方法】変更
【補正の内容】
【０１６７】
具体的には、ターゲットＮＧ３経路に関する情報は、ターゲットＡＮ上のターゲットＮＧ３経路のＩＰアドレスおよびトンネルＩＤを含み得る。ソースＮＧ３経路のＩＤについては、ステップ３００ｆにおける関係する関連を参照されたい。詳細は再度説明されない。
【国際調査報告】
2019533392.tif 000024
2019533392.tif 000025
2019533392.tif 000026
2019533392.tif 000027